(57)【特許請求の範囲】
【請求項１】
カラー表示装置の表示画面上に文字等の画像を表示させるカラー表示制御装置における表示色設定方法であって、
前記画像を表示する領域の背景色がマンセル色立体上で存在する点Ａを認識する認識ステップと、
前記点Ａと、前記マンセル色立体の中点Ｎとを通る直線上で、前記中点Ｎを境にして前記点Ａと所定の比率の位置に存在する点Ｂを算出する算出ステップと、
前記点Ａ，Ｂが予め設定された特定色に属する組合わせとなるか否かを判定するステップとを有し、
特定色に属する組合わせでない場合に、前記マンセル色立体上の前記点Ｂを中心とする所定範囲内の色を前記画像の表示色として設定する設定ステップと、を備えることを特徴とするカラー表示制御装置における表示色設定方法。
【請求項２】
前記算出ステップは、前記点Ａと前記マンセル色立体の彩度０，明度５なる中点とを通る延長線上で、前記中点を境に前記点Ａから４：１以上の比率の位置に存在する点を前記マンセル色立体上の点Ｂとして算出することを特徴とする請求項１記載のカラー表示制御装置における表示色設定方法。
【請求項３】
前記算出ステップは、前記点Ａと前記マンセル色立体の彩度０，明度５なる中点とを通る延長線上で、前記中点を境に前記点Ａから１：４以上の比率の位置に存在する点を前記マンセル色立体上の点Ｂとして算出することを特徴とする請求項１記載のカラー表示制御装置における表示色設定方法。
【請求項４】
前記算出ステップは、前記点Ａを通る垂直線上で明度差４以上離れた位置に存在する点を前記マンセル色立体上の点Ｂとして算出することを特徴とする請求項１記載のカラー表示制御装置における表示色設定方法。
【請求項５】
前記算出ステップは、前記点Ａを通る水平線上で彩度差４以上離れた位置に存在する点を前記マンセル色立体上の点Ｂとして算出することを特徴とする請求項１記載のカラー表示制御装置における表示色設定方法。
【請求項６】
前記点Ｂを中心とする所定範囲は、同一色と見倣せる範囲であることを特徴とする請求項２ないし５の何れか一に記載のカラー表示制御装置における表示色設定方法。
【請求項７】
前記点Ｂを中心とする所定範囲は、前記点Ａから見て立体角１５°の範囲であることを特徴とする請求項２ないし５の何れか一に記載のカラー表示制御装置における表示色設定方法。
【請求項８】
前記点Ｂを中心とする所定範囲は、マンセル色相環図において隣接する２色を含む範囲であることを特徴とする請求項２ないし５の何れか一に記載のカラー表示制御装置における表示色設定方法。
【請求項９】
前記点Ａ，Ｂが予め設定された特定色に属する組合わせとなる場合の前記点Ｂに基づく表示色の設定ステップの処理の実行・不実行が選択自在であることを特徴とする請求項１ないし８の何れか一に記載のカラー表示制御装置における表示色設定方法。
【請求項１０】
カラー表示装置の表示画面上に文字等の画像を表示させるカラー表示制御装置において、
前記画像を表示する領域の背景色がマンセル色立体上で存在する点Ａを認識する認識手段と、
前記点Ａと、前記マンセル色立体の中点Ｎとを通る直線上で、前記中点Ｎを境にして前記点Ａと所定の比率の位置に存在する点Ｂを算出する算出手段と、
前記点Ａ，Ｂが予め設定された特定色に属する組合わせとなるか否かを判定する判定手段とを有し、
特定色に属する組合わせでない場合に、前記マンセル色立体上の前記点Ｂを中心とする所定範囲内の色を前記画像の表示色として設定する表示色設定手段と、を備えることを特徴とするカラー表示制御装置。
【請求項１１】
前記算出手段は、前記点Ａと前記マンセル色立体の彩度０，明度５なる中点とを通る延長線上で、前記中点を境に前記点Ａから４：１以上の比率の位置に存在する点を前記マンセル色立体上の点Ｂとして算出することを特徴とする請求項１０記載のカラー表示制御装置。
【請求項１２】
前記算出手段は、前記点Ａと前記マンセル色立体の彩度０，明度５なる中点とを通る延長線上で、前記中点を境に前記点Ａから１：４以上の比率の位置に存在する点を前記マンセル色立体上の点Ｂとして算出することを特徴とする請求項１０記載のカラー表示制御装置。
【請求項１３】
前記算出手段は、前記点Ａを通る垂直線上で明度差４以上離れた位置に存在する点を前記マンセル色立体上の点Ｂとして算出することを特徴とする請求項１０記載のカラー表示制御装置。
【請求項１４】
前記算出手段は、前記点Ａを通る水平線上で彩度差４以上離れた位置に存在する点を前記マンセル色立体上の点Ｂとして算出することを特徴とする請求項１０記載のカラー表示制御装置。
【請求項１５】
前記点Ｂを中心とする所定範囲は、同一色と見倣せる範囲であることを特徴とする請求項１１ないし１４の何れか一に記載のカラー表示制御装置。
【請求項１６】
前記点Ｂを中心とする所定範囲は、前記点Ａから見て立体角１５°の範囲であることを特徴とする請求項１１ないし１４の何れか一に記載のカラー表示制御装置。
【請求項１７】
前記点Ｂを中心とする所定範囲は、マンセル色相環図において隣接する２色を含む範囲であることを特徴とする請求項１１ないし１４の何れか一に記載のカラー表示制御装置。
【請求項１８】
前記点Ａ，Ｂが予め設定された特定色に属する組合わせとなる場合の前記点Ｂに基づく前記表示色設定手段の表示色設定処理の実行・不実行が選択自在であることを特徴とする請求項１０ないし１７の何れか一記載のカラー表示制御装置。
【請求項１９】
カラー表示装置の表示画面上に文字等の画像を表示させるカラー表示制御装置を備えるコンピュータにインストールされ、
前記コンピュータに、
前記画像を表示する領域の背景色がマンセル色立体上で存在する点Ａを認識する認識機能と、
前記点Ａと、前記マンセル色立体の中点Ｎとを通る直線上で、前記中点Ｎを境にして前記点Ａと所定の比率の位置に存在する点Ｂを算出する算出機能と、
前記点Ａ，Ｂが予め設定された特定色に属する組合わせとなるか否かを判定する判定機能とを有し、
特定色に属する組合わせでない場合に、前記マンセル色立体上の前記点Ｂを中心とする所定範囲内の色を前記画像の表示色として設定する表示色設定機能と、を実行させる機械読取可能なプログラムが記憶されている記憶媒体。
【請求項２０】
前記算出機能は、前記点Ａと前記マンセル色立体の彩度０，明度５なる中点とを通る延長線上で、前記中点を境に前記点Ａから４：１以上の比率の位置に存在する点を前記マンセル色立体上の点Ｂとして算出することを特徴とする請求項１９記載の記憶媒体。
【請求項２１】
前記算出機能は、前記点Ａと前記マンセル色立体の彩度０，明度５なる中点とを通る延長線上で、前記中点を境に前記点Ａから１：４以上の比率の位置に存在する点を前記マンセル色立体上の点Ｂとして算出することを特徴とする請求項１９記載の記憶媒体。
【請求項２２】
前記算出機能は、前記点Ａを通る垂直線上で明度差４以上離れた位置に存在する点を前記マンセル色立体上の点Ｂとして算出することを特徴とする請求項１９記載の記憶媒体。
【請求項２３】
前記算出機能は、前記点Ａを通る水平線上で彩度差４以上離れた位置に存在する点を前記マンセル色立体上の点Ｂとして算出することを特徴とする請求項１９記載の記憶媒体。
【請求項２４】
前記点Ｂを中心とする所定範囲は、同一色と見倣せる範囲であることを特徴とする請求項２０ないし２３の何れか一に記載の記憶媒体。
【請求項２５】
前記点Ｂを中心とする所定範囲は、前記点Ａから見て立体角１５°の範囲であることを特徴とする請求項２０ないし２３の何れか一に記載の記憶媒体。
【請求項２６】
前記点Ｂを中心とする所定範囲は、マンセル色相環図において隣接する２色を含む範囲であることを特徴とする請求項２０ないし２３の何れか一に記載の記憶媒体。
【請求項２７】
前記点Ａ，Ｂが予め設定された特定色に属する組合わせとなる場合の前記点Ｂに基づく前記表示色設定機能の表示色設定処理の実行・不実行が選択自在であることを特徴とする請求項１９ないし２６の何れか一に記載の記憶媒体。
【請求項２８】
文字や画像等を表示画面上に表示するカラー表示手段と、このカラー表示手段の前記表示画面上で指示物体により指示された筆記位置に相当する座標情報を検出する座標入力／検出手段とを備え、前記指示物体により指示された各筆記位置に対応した前記表示画面の位置にカラー筆記軌跡を表示するカラー表示装置における筆記色設定方法において、
前記筆記位置の背景色がマンセル色立体上で存在する点Ａを認識し、
前記点Ａと、前記点Ａと前記マンセル色立体の彩度０，明度５なる中点とを通る直線上で、前記中点を境に前記点Ａから４：１以上の比率の位置に存在する前記マンセル色立体上の点Ｂとが予め設定された特定色に属する組合わせとなるか否か判定し、
特定色の組合せでない場合に、前記点Ｂを中心とする所定範囲内の色を前記カラー筆記軌跡を表示するための前記指示物体による筆記色として設定するようにしたことを特徴とするカラー表示装置における筆記色設定方法。
【請求項２９】
文字や画像等を表示画面上に表示するカラー表示手段と、このカラー表示手段の前記表示画面上で指示物体により指示された筆記位置に相当する座標情報を検出する座標入力／検出手段とを備え、前記指示物体により指示された各筆記位置に対応した前記表示画面の位置にカラー筆記軌跡を表示するカラー表示装置において、
前記筆記位置の背景色がマンセル色立体上で存在する点Ａを認識する認識手段と、
前記点Ａと、前記点Ａと前記マンセル色立体の彩度０，明度５なる中点とを通る直線上で、前記中点を境に前記点Ａから４：１以上の比率の位置に存在する前記マンセル色立体上の点Ｂとが予め設定された特定色に属する組合わせとなるか否か判定する判定手段と、
特定色の組合せでない場合に、前記点Ｂを中心として所定範囲内の色を前記カラー筆記軌跡を表示するための前記指示物体による筆記色として設定する筆記色自動設定手段とを備えることを特徴とするカラー表示装置。
【発明の詳細な説明】
【０００１】
【発明の属する技術分野】
本発明は、カラーディスプレイ等のカラー表示装置の表示画面上に文字等の画像を表示させるパーソナルコンピュータ（ＰＣ）、携帯情報端末（ＰＤＡ）等のカラー表示制御装置、その表示色設定方法、記憶媒体、さらには、カラー表示制御装置を一体に有して既に表示されている画像上に入力した文字や図形などの上書き画像を重ねて表示する際の上書き画像の視認性の向上等を図ったカラー表示装置及びその筆記色設定方法に関する。
【０００２】
【従来の技術】
コンピュータグラフィックスでは操作性等の向上のために、例えば、特開平７−３２５６６６号公報に示されるように、入力画面の各項目や背景色等を色分けして表示させたりしている。また、キーボードやマウスの代わりにペンを用いて入力する、いわゆるペン入力型コンピュータが電子会議システム等で用いられている。例えば、特開平９−１１４５９１号公報に示される液晶表示装置によれば、カラー液晶パネル上にペン入力したときに、ペンで指示された位置の座標データを認識し、認識した座標データによる軌跡を予め指定された色で表示パネルに表示して、ペン入力した軌跡をカラー表示するようにしている。
【０００３】
このようなペン入力型コンピュータ等のカラー表示装置によれば、表示装置によって表示されている画面上の画像に対して、ペンを用いて入力した画像を上書き画像として重ねて表示できるので、大画面のカラーディスプレイを用いることで、会議、プレゼンテーション、教育等に広く適用可能で、その利用価値の高いものとなる。
【０００４】
【発明が解決しようとする課題】
ところが、このようなカラー表示装置によれば、文字や画像をカラーでペン入力する場合、一般的には、筆記前に筆記色を予め指定してから入力するようにしている。この筆記色を指定する場合、使用者の操作ミスや判断ミスにより背景色と同一色又は近い色を筆記色として指定してしまうことが多々あり、このような場合には筆記軌跡が見にくくなってしまうという問題点がある。
【０００５】
特に、大画面のカラーディスプレイを用いたカラー表示装置であって、プレゼンテーション等のように描かれた文字等の画像を複数の人が同時に視認することが重要な場合には、上書き画像が視認しにくくなることは重大な欠点である上に、筆記色の指定操作を伴うことは操作性・利便性の低下を招くことになる。
【０００６】
ペンや指による入力に限らず、より一般的な例として、プレゼンテーションを行う場合に、カラープロジェクタや大画面のカラーディスプレイを使用する機会が多くなってきている。このような表示画面が大画面である場合には、文字や線等のグラフィック画像は、多くの人にとって見易いことが望まれる。ところが、プレゼンテーション用資料をＰＣ等の個人用文書作成装置で作成している段階では、文字や線等の画像が見づらくなくても、そのデータをカラープロジェクタ等で大画面に投影して表示させると、投影光量が十分でない場合（表示が暗い）には、文字や線等の色とその背景領域の色との組合わせによっては文字や線等が見づらくなる、という不具合がある。
【０００７】
また、従来のＰＣ等の文書作成装置においては、強調したい文字や線等の色はユーザが判断しており、表示している背景色に対して目立つ色或いはふさわしい色を装置側で判断するという機能は無かった。
【０００８】
また、楽曲の演奏に合わせて歌詞を表示するカラオケ装置では、歌詞を見易い色で表示している場合が多いが、背景画像（動画或いは静止画）の色と歌詞の色とが類似している場合には歌詞が非常に見づらくなる、という問題もある。
【０００９】
また、一般的には、背景色に対して補色（色相環の反対側の色であり、混ぜるとグレーになる色）を表示色（筆記色）として指定すれば、描いた線を目立たさせることができるが、単純補色の場合、必ずしも多くの人にとって最も見やすいわけではなく、その色合いがよくない場合もあり、また、例えば、緑色とピンク色との組合せのように、背景色と表示色（筆記色）との組合せによってはビジネスの場に合わず不快感を与えてしまうようなケースも生じてしまう。
【００１０】
そこで、本発明は、背景色に応じて最適な表示色を自動的に設定することができ、表示画像の視認性を最適化させることができるカラー表示制御装置、その表示色設定方法及び記憶媒体を提供することを目的とする。
【００１１】
また、本発明は、背景色に応じて最適な筆記色を自動的に設定することができ、上書き画像の視認性を最適化させることができるカラー表示装置及びその筆記色設定方法を提供することを目的とする。
【００１２】
また、本発明は、不快感などを与えることのない最適な表示色を設定することができるカラー表示制御装置、その表示色設定方法及び記憶媒体を提供することを目的とする。
【００１３】
また、本発明は、オフィス等の場所、会議等の目的などに応じた最適な表示色を設定することができるカラー表示制御装置、その表示色設定方法及び記憶媒体を提供することを目的とする。
【００１４】
【課題を解決するための手段】
請求項１記載の発明は、カラー表示装置の表示画面上に文字等の画像を表示させるカラー表示制御装置における表示色設定方法であって、前記画像を表示する領域の背景色がマンセル色立体上で存在する点Ａを認識する認識ステップと、前記点Ａと、前記マンセル色立体の中点Ｎとを通る直線上で、前記中点Ｎを境にして前記点Ａと所定の比率の位置に存在する点Ｂを算出する算出ステップと、前記点Ａ，Ｂが予め設定された特定色に属する組合わせとなるか否かを判定するステップとを有し、特定色に属する組合わせでない場合に、前記マンセル色立体上の前記点Ｂを中心とする所定範囲内の色を前記画像の表示色として設定する設定ステップと、を備える。
【００１５】
従って、色彩に関する経験値等に基づく妥当性のある感覚尺度によれば、画像を表示する位置の背景色がマンセル色立体上で存在する点Ａに対して見やすい色であるとする色彩に関する経験則により見出される色の点Ｂ、つまり、点Ａの色に対して単純補色とならない点を中心として所定範囲内の色を表示色として設定することで、見やすい最適な表示色、即ち、いい色を自動的に設定することができ、表示画像の視認性を最適化させることができる。
また、点Ａ，Ｂが例えば緑色とピンク色との組合せとなってしまうような場合には、用途によっては場違い的な不快感を与えてしまうが、このような組合せを特定色に属する組合せとして予め設定しておくことで、このような組合せによる点Ｂに基づく表示色の設定を排除することができ、不快感を与えるような表示色の設定を回避できる。
【００１６】
請求項２記載の発明は、請求項１記載のカラー表示制御装置における表示色設定方法であって、前記算出ステップは、前記点Ａと前記マンセル色立体の彩度０，明度５なる中点とを通る延長線上で、前記中点を境に前記点Ａから４：１以上の比率の位置に存在する点を前記マンセル色立体上の点Ｂとして算出することを特徴とする。
【００１７】
従って、色彩に関する経験値等に基づく妥当性のある感覚尺度によれば、画像を表示する位置の背景色がマンセル色立体上で存在する点Ａとマンセル色立体の中点とを通る延長線上で、中点を境に点Ａから４：１以上の比率の位置に存在するマンセル色立体上の点Ｂを中心として所定範囲、例えば、同一色と見倣せる範囲内の色を表示色として設定することで、見やすい最適な表示色、即ち、いい色を自動的に設定することができ、表示画像の視認性を最適化させることができる。
【００１８】
請求項３記載の発明は、請求項１記載のカラー表示制御装置における表示色設定方法であって、前記算出ステップは、前記点Ａと前記マンセル色立体の彩度０，明度５なる中点とを通る延長線上で、前記中点を境に前記点Ａから１：４以上の比率の位置に存在する点を前記マンセル色立体上の点Ｂとして算出することを特徴とする。
【００１９】
従って、色彩に関する経験値等に基づく妥当性のある感覚尺度によれば、画像表示位置の背景色がマンセル色立体上で存在する点Ａとマンセル色立体の中点とを通る延長線上で、中点を境に点Ａから１：４以上の比率の位置に存在するマンセル色立体上の点Ｂを中心として所定範囲、例えば、同一色と見倣せる範囲内の色を表示色として設定することで、見やすい最適な表示色、即ち、いい色を自動的に設定することができ、表示画像の視認性を最適化させることができる。
【００２０】
請求項４記載の発明は、請求項１記載のカラー表示制御装置における表示色設定方法であって、前記算出ステップは、前記点Ａを通る垂直線上で明度差４以上離れた位置に存在する点を前記マンセル色立体上の点Ｂとして算出することを特徴とする。
【００２１】
従って、画像表示位置の背景色がマンセル色立体上で存在する点Ａの位置によっては、請求項２又は３記載の発明における点Ｂが存在しないこともあり得るが、このような場合には、画像表示位置の背景色がマンセル色立体上で存在する点Ａを通る垂直線上で明度差４以上離れた位置に存在する点Ｂを中心として所定範囲、例えば、同一色と見倣せる範囲内の色を表示色として設定することにより、明確な明度差により十分な視認性の得られる適正な表示色の自動設定が可能となる。
【００２２】
請求項５記載の発明は、請求項１記載のカラー表示制御装置における表示色設定方法であって、前記算出ステップは、前記点Ａを通る水平線上で彩度差４以上離れた位置に存在する点を前記マンセル色立体上の点Ｂとして算出することを特徴とする。
【００２３】
従って、画像表示位置の背景色がマンセル色立体上で存在する点Ａの位置によっては、例えば、無彩色位置のような場合には、請求項２又は３記載の発明における点Ｂが存在しないこともあり得るが、このような場合には、画像表示位置の背景色がマンセル色立体上で存在する点Ａを通る水平線上で彩度差４以上離れた位置に存在する点Ｂを中心として所定範囲、例えば、同一色と見倣せる範囲内の色を表示色として設定することにより、明確な彩度差により十分な視認性の得られる適正な表示色の自動設定が可能となる。
【００２４】
請求項６記載の発明は、請求項２ないし５の何れか一に記載のカラー表示制御装置における表示色設定方法において、前記点Ｂを中心とする所定範囲は、同一色と見倣せる範囲であることを特徴とする。請求項７記載の発明は、請求項２ないし５の何れか一に記載のカラー表示制御装置における表示色設定方法において、前記点Ｂを中心とする所定範囲は、前記点Ａから見て立体角１５°の範囲であることを特徴とする。請求項８記載の発明は、請求項２ないし５の何れか一に記載のカラー表示制御装置における表示色設定方法において、前記点Ｂを中心とする所定範囲は、マンセル色相環図において隣接する２色を含む範囲であることを特徴とする。
【００２５】
従って、所定範囲が同一色と見倣せる範囲、即ち、点Ａから見て立体角１５°の範囲であり、マンセル色相環図において隣接する２色をカバーする同一色と見倣せる範囲であるので、人間が知覚できるレベルに合わせて余裕を持って筆記色を自動的に設定できる。
【００２８】
請求項９記載の発明は、請求項１ないし８の何れか一に記載のカラー表示制御装置における表示色設定方法において、前記点Ａ，Ｂが予め設定された特定色に属する組合わせとなる場合の前記点Ｂに基づく表示色の設定ステップの処理の実行・不実行が選択自在であることを特徴とする。
【００２９】
従って、点Ａ，Ｂが例えば緑色とピンク色との組合せとなってしまうような場合であっても、用途等によっては必要な組合せであるので、このような設定処理の実行・不実行を選択自在とすることにより、用途等のＴＰＯに応じて適正な表示色の設定が可能となる。
【００３０】
請求項１０記載の発明は、カラー表示装置の表示画面上に文字等の画像を表示させるカラー表示制御装置において、前記画像を表示する領域の背景色がマンセル色立体上で存在する点Ａを認識する認識手段と、前記点Ａと、前記マンセル色立体の中点Ｎとを通る直線上で、前記中点Ｎを境にして前記点Ａと所定の比率の位置に存在する点Ｂを算出する算出手段と、前記点Ａ，Ｂが予め設定された特定色に属する組合わせとなるか否かを判定する判定手段とを有し、特定色に属する組合わせでない場合に、前記マンセル色立体上の前記点Ｂを中心とする所定範囲内の色を前記画像の表示色として設定する表示色設定手段と、を備える。
【００３１】
従って、色彩に関する経験値等に基づく妥当性のある感覚尺度によれば、画像を表示する位置の背景色がマンセル色立体上で存在する点Ａに対して見やすい色であるとする色彩に関する経験則により見出される色の点Ｂ、つまり、点Ａの色に対して単純補色とならない点を中心として所定範囲内の色を表示色として設定することで、見やすい最適な表示色、即ち、いい色を自動的に設定することができ、表示画像の視認性を最適化させることができる。
また、点Ａ，Ｂが例えば緑色とピンク色との組合せとなってしまうような場合には、用途によっては場違い的な不快感を与えてしまうが、このような組合せを特定色に属する組合せとして予め設定しておくことで、このような組合せによる点Ｂに基づく表示色の設定を排除することができ、不快感を与えるような表示色の設定を回避できる。
【００３２】
請求項１１記載の発明は、請求項１０記載のカラー表示制御装置において、前記算出手段は、前記点Ａと前記マンセル色立体の彩度０，明度５なる中点とを通る延長線上で、前記中点を境に前記点Ａから４：１以上の比率の位置に存在する点を前記マンセル色立体上の点Ｂとして算出することを特徴とする。
【００３３】
従って、色彩に関する経験値等に基づく妥当性のある感覚尺度によれば、画像を表示する位置の背景色がマンセル色立体上で存在する点Ａとマンセル色立体の中点とを通る延長線上で、中点を境に点Ａから４：１以上の比率の位置に存在するマンセル色立体上の点Ｂを中心として所定範囲、例えば、同一色と見倣せる範囲内の色を表示色として設定することで、見やすい最適な表示色、即ち、いい色を自動的に設定することができ、表示画像の視認性を最適化させることができる。
【００３４】
請求項１２記載の発明は、請求項１０記載のカラー表示制御装置において、前記算出手段は、前記点Ａと前記マンセル色立体の彩度０，明度５なる中点とを通る延長線上で、前記中点を境に前記点Ａから１：４以上の比率の位置に存在する点を前記マンセル色立体上の点Ｂとして算出することを特徴とする。
【００３５】
従って、色彩に関する経験値等に基づく妥当性のある感覚尺度によれば、画像表示位置の背景色がマンセル色立体上で存在する点Ａとマンセル色立体の中点とを通る延長線上で、中点を境に点Ａから１：４以上の比率の位置に存在するマンセル色立体上の点Ｂを中心として所定範囲、例えば、同一色と見倣せる範囲内の色を表示色として設定することで、見やすい最適な表示色、即ち、いい色を自動的に設定することができ、表示画像の視認性を最適化させることができる。
【００３６】
請求項１３記載の発明は、請求項１０記載のカラー表示制御装置において、前記算出手段は、前記点Ａを通る垂直線上で明度差４以上離れた位置に存在する点を前記マンセル色立体上の点Ｂとして算出することを特徴とする。
【００３７】
従って、画像表示位置の背景色がマンセル色立体上で存在する点Ａの位置によっては、請求項１１又は１２記載の発明における点Ｂが存在しないこともあり得るが、このような場合には、画像表示位置の背景色がマンセル色立体上で存在する点Ａを通る垂直線上で明度差４以上離れた位置に存在する点Ｂを中心として所定範囲、例えば、同一色と見倣せる範囲内の色を表示として設定することにより、明確な明度差により十分な視認性の得られる適正な表示色の自動設定が可能となる。
【００３８】
請求項１４記載の発明は、請求項１０記載のカラー表示制御装置において、前記算出手段は、前記点Ａを通る水平線上で彩度差４以上離れた位置に存在する点を前記マンセル色立体上の点Ｂとして算出することを特徴とする。
【００３９】
従って、画像表示位置の背景色がマンセル色立体上で存在する点Ａの位置によっては、例えば、無彩色位置のような場合には、請求項１１又は１２記載の発明における点Ｂが存在しないこともあり得るが、このような場合には、画像表示位置の背景色がマンセル色立体上で存在する点Ａを通る水平線上で彩度差４以上離れた位置に存在する点Ｂを中心として所定範囲、例えば、同一色と見倣せる範囲内の色を表示色として設定することにより、明確な彩度差により十分な視認性の得られる適正な表示色の自動設定が可能となる。
【００４０】
請求項１５記載の発明は、請求項１１ないし１４の何れか一に記載のカラー表示制御装置において、前記点Ｂを中心とする所定範囲は、同一色と見倣せる範囲であることを特徴とする。請求項１６記載の発明は、請求項１１ないし１４の何れか一に記載のカラー表示制御装置において、前記点Ｂを中心とする所定範囲は、前記点Ａから見て立体角１５°の範囲であることを特徴とする。請求項１７記載の発明は、請求項１１ないし１４の何れか一に記載のカラー表示制御装置において、前記点Ｂを中心とする所定範囲は、マンセル色相環図において隣接する２色を含む範囲であることを特徴とする。
【００４１】
従って、所定範囲が同一色と見倣せる範囲、即ち、点Ａから見て立体角１５°の範囲であり、マンセル色相環図において隣接する２色をカバーする同一色と見倣せる範囲であるので、人間が知覚できるレベルに合わせて余裕を持って筆記色を自動的に設定できる。
【００４４】
請求項１８記載の発明は、請求項１０ないし１７の何れか一に記載のカラー表示制御装置において、前記点Ａ，Ｂが予め設定された特定色に属する組合わせとなる場合の前記点Ｂに基づく前記表示色設定手段の表示色設定処理の実行・不実行が選択自在であることを特徴とする。
【００４５】
従って、点Ａ，Ｂが例えば緑色とピンク色との組合せとなってしまうような場合であっても、用途等によっては必要な組合せであるので、このような設定処理の実行・不実行を選択自在とすることにより、用途等のＴＰＯに応じて適正な表示色の設定が可能となる。
【００４６】
請求項１９記載の発明の記憶媒体は、カラー表示装置の表示画面上に文字等の画像を表示させるカラー表示制御装置を備えるコンピュータにインストールされ、前記コンピュータに、前記画像を表示する領域の背景色がマンセル色立体上で存在する点Ａを認識する認識機能と、前記点Ａと、前記マンセル色立体の中点Ｎとを通る直線上で、前記中点Ｎを境にして前記点Ａと所定の比率の位置に存在する点Ｂを算出する算出機能と、前記点Ａ，Ｂが予め設定された特定色に属する組合わせとなるか否かを判定する判定機能とを有し、特定色に属する組合わせでない場合に、前記マンセル色立体上の前記点Ｂを中心とする所定範囲内の色を前記画像の表示色として設定する表示色設定機能と、を実行させる機械読取可能なプログラムが記憶されている。
【００４７】
従って、色彩に関する経験値等に基づく妥当性のある感覚尺度によれば、画像を表示する位置の背景色がマンセル色立体上で存在する点Ａに対して見やすい色であるとする色彩に関する経験則により見出される色の点Ｂ、つまり、点Ａの色に対して単純補色とならない点を中心として所定範囲内の色を表示色として設定することで、見やすい最適な表示色、即ち、いい色を自動的に設定することができ、表示画像の視認性を最適化させることができる。
また、点Ａ，Ｂが例えば緑色とピンク色との組合せとなってしまうような場合には、用途によっては場違い的な不快感を与えてしまうが、このような組合せを特定色に属する組合せとして予め設定しておくことで、このような組合せによる点Ｂに基づく表示色の設定を排除することができ、不快感を与えるような表示色の設定を回避できる。
【００４８】
請求項２０記載の発明は、請求項１９記載の記憶媒体において、前記算出機能は、前記点Ａと前記マンセル色立体の彩度０，明度５なる中点とを通る延長線上で、前記中点を境に前記点Ａから４：１以上の比率の位置に存在する点を前記マンセル色立体上の点Ｂとして算出することを特徴とする。
【００４９】
従って、色彩に関する経験値等に基づく妥当性のある感覚尺度によれば、画像を表示する位置の背景色がマンセル色立体上で存在する点Ａとマンセル色立体の中点とを通る延長線上で、中点を境に点Ａから４：１以上の比率の位置に存在するマンセル色立体上の点Ｂを中心として所定範囲、例えば、同一色と見倣せる範囲内の色を表示色として設定することで、見やすい最適な表示色、即ち、いい色を自動的に設定することができ、表示画像の視認性を最適化させることができる。
【００５０】
請求項２１記載の発明は、請求項１９記載の記憶媒体において、前記算出機能は、前記点Ａと前記マンセル色立体の彩度０，明度５なる中点とを通る延長線上で、前記中点を境に前記点Ａから１：４以上の比率の位置に存在する点を前記マンセル色立体上の点Ｂとして算出することを特徴とする。
【００５１】
従って、色彩に関する経験値等に基づく妥当性のある感覚尺度によれば、画像表示位置の背景色がマンセル色立体上で存在する点Ａとマンセル色立体の中点とを通る延長線上で、中点を境に点Ａから１：４以上の比率の位置に存在するマンセル色立体上の点Ｂを中心として所定範囲、例えば、同一色と見倣せる範囲内の色を表示色として設定することで、見やすい最適な表示色、即ち、いい色を自動的に設定することができ、表示画像の視認性を最適化させることができる。
【００５２】
請求項２２記載の発明は、請求項１９記載の記憶媒体において、前記算出機能は、前記点Ａを通る垂直線上で明度差４以上離れた位置に存在する点を前記マンセル色立体上の点Ｂとして算出することを特徴とする。
【００５３】
従って、画像表示位置の背景色がマンセル色立体上で存在する点Ａの位置によっては、請求項２０又は２１記載の発明における点Ｂが存在しないこともあり得るが、このような場合には、画像表示位置の背景色がマンセル色立体上で存在する点Ａを通る垂直線上で明度差４以上離れた位置に存在する点Ｂを中心として所定範囲、例えば、同一色と見倣せる範囲内の色を表示色として設定することにより、明確な明度差により十分な視認性の得られる適正な表示色の自動設定が可能となる。
【００５４】
請求項２３記載の発明は、請求項１９記載の記憶媒体において、前記算出機能は、前記点Ａを通る水平線上で彩度差４以上離れた位置に存在する点を前記マンセル色立体上の点Ｂとして算出することを特徴とする。
【００５５】
従って、画像表示位置の背景色がマンセル色立体上で存在する点Ａの位置によっては、例えば、無彩色位置のような場合には、請求項２０又は２１記載の発明における点Ｂが存在しないこともあり得るが、このような場合には、画像表示位置の背景色がマンセル色立体上で存在する点Ａを通る水平線上で彩度差４以上離れた位置に存在する点Ｂを中心として所定範囲、例えば、同一色と見倣せる範囲内の色を表示色として設定することにより、明確な彩度差により十分な視認性の得られる適正な表示色の自動設定が可能となる。
【００５６】
請求項２４記載の発明は、請求項２０ないし２３の何れか一に記載の記憶媒体において、前記点Ｂを中心とする所定範囲は、同一色と見倣せる範囲であることを特徴とする。請求項２５記載の発明は、請求項２０ないし２３の何れか一に記載の記憶媒体において、前記点Ｂを中心とする所定範囲は、前記点Ａから見て立体角１５°の範囲であることを特徴とする。請求項２６記載の発明は、請求項２０ないし２３の何れか一に記載の記憶媒体において、前記点Ｂを中心とする所定範囲は、マンセル色相環図において隣接する２色を含む範囲であることを特徴とする。
【００５７】
従って、所定範囲が同一色と見倣せる範囲、即ち、点Ａから見て立体角１５°の範囲であり、マンセル色相環図において隣接する２色をカバーする同一色と見倣せる範囲であるので、人間が知覚できるレベルに合わせて余裕を持って筆記色を自動的に設定できる。
【００６０】
請求項２７記載の発明は、請求項１９ないし２６の記載の記憶媒体において、前記点Ａ，Ｂが予め設定された特定色に属する組合わせとなる場合の前記点Ｂに基づく前記表示色設定機能の表示色設定処理の実行・不実行が選択自在であることを特徴とする。
【００６１】
従って、点Ａ，Ｂが例えば緑色とピンク色との組合せとなってしまうような場合であっても、用途等によっては必要な組合せであるので、このような設定処理の実行・不実行を選択自在とすることにより、用途等のＴＰＯに応じて適正な表示色の設定が可能となる。
【００６２】
請求項２８記載の発明のカラー表示装置における筆記色設定方法は、文字や画像等を表示画面上に表示するカラー表示手段と、このカラー表示手段の前記表示画面上で指示物体により指示された筆記位置に相当する座標情報を検出する座標入力／検出手段とを備え、前記指示物体により指示された各筆記位置に対応した前記表示画面の位置にカラー筆記軌跡を表示するカラー表示装置において、前記筆記位置の背景色がマンセル色立体上で存在する点Ａを認識し、前記点Ａと、前記点Ａと前記マンセル色立体の彩度０，明度５なる中点とを通る直線上で、前記中点を境に前記点Ａから４：１以上の比率の位置に存在する前記マンセル色立体上の点Ｂとが予め設定された特定色に属する組合わせとなるか否か判定し、特定色の組合せでない場合に、前記点Ｂを中心として所定範囲内の色を前記カラー筆記軌跡を表示するための前記指示物体による筆記色として設定するようにした。
【００６３】
従って、色彩に関する経験値等に基づく妥当性のある感覚尺度によれば、筆記位置の背景色がマンセル色立体上で存在する点Ａとマンセル色立体の中点とを通る直線上で、中点を境に点Ａから４：１以上の比率の位置に存在するマンセル色立体上の点Ｂを中心として所定範囲、例えば、同一色と見倣せる範囲内の色を筆記色として設定することで、見やすい最適な筆記色、即ち、いい色を自動的に設定することができ、筆記手段による上書き画像の視認性を最適化させることができる。
【００６４】
また、参考例１のカラー表示装置における筆記色設定方法は、文字や画像等を表示画面上に表示するカラー表示手段と、このカラー表示手段の前記表示画面上で指示物体により指示された筆記位置に相当する座標情報を検出する座標入力／検出手段とを備え、前記指示物体により指示された各筆記位置に対応した前記表示画面の位置にカラー筆記軌跡を表示するカラー表示装置において、前記筆記位置の背景色がマンセル色立体上で存在する点Ａを認識し、この点Ａと前記マンセル色立体の彩度０，明度５なる中点とを通る直線上で、前記中点を境に前記点Ａから１：４以上の比率の位置に存在する前記マンセル色立体上の点Ｂを中心として所定範囲内の色を前記カラー筆記軌跡を表示するための前記指示物体による筆記色として設定するようにした。
【００６５】
従って、色彩に関する経験値等に基づく妥当性のある感覚尺度によれば、筆記位置の背景色がマンセル色立体上で存在する点Ａとマンセル色立体の中点とを通る直線上で、中点を境に点Ａから１：４以上の比率の位置に存在するマンセル色立体上の点Ｂを中心として所定範囲、例えば、同一色と見倣せる範囲内の色を筆記色として設定することで、見やすい最適な筆記色、即ち、いい色を自動的に設定することができ、筆記手段による上書き画像の視認性を最適化させることができる。
【００６６】
また、参考例２のカラー表示装置における筆記色設定方法は、文字や画像等を表示画面上に表示するカラー表示手段と、このカラー表示手段の前記表示画面上で指示物体により指示された筆記位置に相当する座標情報を検出する座標入力／検出手段とを備え、前記指示物体により指示された各筆記位置に対応した前記表示画面の位置にカラー筆記軌跡を表示するカラー表示装置において、前記筆記位置の背景色がマンセル色立体上で存在する点Ａを認識し、この点Ａを通る垂直線上で明度差４以上離れた位置に存在する前記マンセル色立体上の点Ｂを中心として所定範囲内の色を前記カラー筆記軌跡を表示するための前記指示物体による筆記色として設定するようにした。
【００６７】
従って、筆記位置の背景色がマンセル色立体上で存在する点Ａの位置によっては、前記点Ｂが存在しないこともあり得るが、このような場合には、筆記位置の背景色がマンセル色立体上で存在する点Ａを通る垂直線上で明度差４以上離れた位置に存在する点Ｂを中心として所定範囲、例えば、同一色と見倣せる範囲内の色を筆記色として設定することにより、明確な明度差により十分な視認性の得られる適正な筆記色の自動設定となる。
【００６８】
また、参考例３のカラー表示装置における筆記色設定方法は、文字や画像等を表示画面上に表示するカラー表示手段と、このカラー表示手段の前記表示画面上で指示物体により指示された筆記位置に相当する座標情報を検出する座標入力／検出手段とを備え、前記指示物体により指示された各筆記位置に対応した前記表示画面の位置にカラー筆記軌跡を表示するカラー表示装置において、前記筆記位置の背景色がマンセル色立体上で存在する点Ａを認識し、この点Ａを通る水平線上で彩度差４以上離れた位置に存在する前記マンセル色立体上の点Ｂを中心として所定範囲内の色を前記カラー筆記軌跡を表示するための前記指示物体による筆記色として設定するようにした。
【００６９】
従って、筆記位置の背景色がマンセル色立体上で存在する点Ａの位置によっては、例えば、無彩色位置のような場合には、前記点Ｂが存在しないこともあり得るが、このような場合には、筆記位置の背景色がマンセル色立体上で存在する点Ａを通る水平線上で彩度差４以上離れた位置に存在する点Ｂを中心として所定範囲、例えば、同一色と見倣せる範囲内の色を筆記色として設定することにより、明確な彩度差により十分な視認性の得られる適正な筆記色の自動設定となる。
【００７０】
請求項２９記載の発明のカラー表示装置は、文字や画像等を表示画面上に表示するカラー表示手段と、このカラー表示手段の前記表示画面上で指示物体により指示された筆記位置に相当する座標情報を検出する座標入力／検出手段とを備え、前記指示物体により指示された各筆記位置に対応した前記表示画面の位置にカラー筆記軌跡を表示するカラー表示装置において、前記筆記位置の背景色がマンセル色立体上で存在する点Ａを認識する認識手段と、前記点Ａと、前記点Ａと前記マンセル色立体の彩度０，明度５なる中点とを通る直線上で、前記中点を境に前記点Ａから４：１以上の比率の位置に存在する前記マンセル色立体上の点Ｂとが予め設定された特定色に属する組合わせとなるか否か判定する判定手段と、特定色の組合せでない場合に、前記点Ｂを中心として所定範囲内の色を前記カラー筆記軌跡を表示するための前記指示物体による筆記色として設定する筆記色自動設定手段とを備える。
【００７１】
従って、色彩に関する経験値等に基づく妥当性のある感覚尺度によれば、筆記位置の背景色がマンセル色立体上で存在する点Ａとマンセル色立体の中点とを通る直線上で、中点を境に点Ａから４：１以上の比率の位置に存在するマンセル色立体上の点Ｂを中心として所定範囲、例えば、同一色と見倣せる範囲内の色を筆記色として設定することで、見やすい最適な筆記色、即ち、いい色を自動的に設定することができ、筆記手段による上書き画像の視認性を最適化させることができる。
【００７２】
また、参考例１のカラー表示装置は、文字や画像等を表示画面上に表示するカラー表示手段と、このカラー表示手段の前記表示画面上で指示物体により指示された筆記位置に相当する座標情報を検出する座標入力／検出手段とを備え、前記指示物体により指示された各筆記位置に対応した前記表示画面の位置にカラー筆記軌跡を表示するカラー表示装置において、前記筆記位置の背景色がマンセル色立体上で存在する点Ａを認識する認識手段と、この点Ａと前記マンセル色立体の彩度０，明度５なる中点とを通る直線上で、前記中点を境に前記点Ａから１：４以上の比率の位置に存在する前記マンセル色立体上の点Ｂを中心として所定範囲内の色を前記カラー筆記軌跡を表示するための前記指示物体による筆記色として設定する筆記色自動設定手段とを備える。
【００７３】
従って、色彩に関する経験値等に基づく妥当性のある感覚尺度によれば、筆記位置の背景色がマンセル色立体上で存在する点Ａとマンセル色立体の中点とを通る直線上で、中点を境に前記点Ａから１：４以上の比率の位置に存在するマンセル色立体上の点Ｂを中心として所定範囲、例えば、同一色と見倣せる範囲内の色を筆記色として設定することで、見やすい最適な筆記色、即ち、いい色を自動的に設定することができ、筆記手段による上書き画像の視認性を最適化させることができる。
【００７４】
また、参考例２のカラー表示装置は、文字や画像等を表示画面上に表示するカラー表示手段と、このカラー表示手段の前記表示画面上で指示物体により指示された筆記位置に相当する座標情報を検出する座標入力／検出手段とを備え、前記指示物体により指示された各筆記位置に対応した前記表示画面の位置にカラー筆記軌跡を表示するカラー表示装置において、前記筆記位置の背景色がマンセル色立体上で存在する点Ａを認識する認識手段と、この点Ａを通る垂直線上で明度差４以上離れた位置に存在する前記マンセル色立体上の点Ｂを中心として所定範囲内の色を前記カラー筆記軌跡を表示するための前記指示物体による筆記色として設定する筆記色自動設定手段とを備える。
【００７５】
従って、筆記位置の背景色がマンセル色立体上で存在する点Ａの位置によっては、前記点Ｂが存在しないこともあり得るが、このような場合には、筆記位置の背景色がマンセル色立体上で存在する点Ａを通る垂直線上で明度差４以上離れた位置に存在する点Ｂを中心として所定範囲、例えば、同一色と見倣せる範囲内の色を筆記色として設定することにより、明確な明度差により十分な視認性の得られる適正な筆記色の自動設定となる。
【００７６】
また、参考例３のカラー表示装置は、文字や画像等を表示画面上に表示するカラー表示手段と、このカラー表示手段の前記表示画面上で指示物体により指示された筆記位置に相当する座標情報を検出する座標入力／検出手段とを備え、前記指示物体により指示された各筆記位置に対応した前記表示画面の位置にカラー筆記軌跡を表示するカラー表示装置において、前記筆記位置の背景色がマンセル色立体上で存在する点Ａを認識する認識手段と、この点Ａを通る水平線上で彩度差４以上離れた位置に存在する前記マンセル色立体上の点Ｂを中心として所定範囲内の色を前記カラー筆記軌跡を表示するための前記指示物体による筆記色として設定する筆記色自動設定手段とを備える。
【００７７】
従って、筆記位置の背景色がマンセル色立体上で存在する点Ａの位置によっては、例えば、無彩色位置のような場合には、前記点Ｂが存在しないこともあり得るが、このような場合には、筆記位置の背景色がマンセル色立体上で存在する点Ａを通る水平線上で彩度差４以上離れた位置に存在する点Ｂを中心として所定範囲、例えば、同一色と見倣せる範囲内の色を筆記色として設定することにより、明確な彩度差により十分な視認性の得られる適正な筆記色の自動設定となる。
【００７８】
【発明の実施の形態】
本発明の第一の実施の形態を図１ないし図１０に基づいて説明する。
【００７９】
本実施の形態のカラー表示制御装置は、会議等で使用するプレゼンテーション用の文書を作成するための装置として用いられるパーソナルコンピュータ（ＰＣ）１を例に挙げて説明する。このシステム構成図を図１に示す。図中、パーソナルコンピュータ１には、カラー表示装置であるＣＲＴ（Ｃathode Ｒay Ｔube）等のカラーディスプレイ２の他、キーボード３やマウス４が接続されている。
【００８０】
次に、パーソナルコンピュータ１のハードウェア構成例を図２に示す。このパーソナルコンピュータ１には、ＣＰＵ１０、メインメモリ１１、クロック１２、バスコントローラ１３、ＲＯＭ（Ｒead Ｏnly Ｍemory）１４、ＰＣＩ（Ｐeripheral Ｃomponent Ｉnterconnect）ブリッジ１５、キャッシュメモリ１６、ハードディスク１７、ＨＤ（Ｈard Ｄisk）コントローラ１８、表示コントローラ１９、ＭＰＥＧ（Ｍoving Ｐicture Ｅxperts Ｇroup）デコーダ２０、スピーカ２１、ＬＡＮコントローラ２２、ＬＡＮ Ｉ／Ｆ（Ｉnterface）２３、ＦＤ（Ｆloppy Ｄisk）コントローラ２４、ＦＤドライブ２５、ＤＶＤ-ＲＡＭ（Ｄigital Ｖideo又はＶersatile Ｄisc Ｒandom Ａccess Ｍemory）コントローラ２６、ＤＶＤ-ＲＡＭドライブ２７、キーボードコントローラ２８、マウスＩ／Ｆ２９、ＲＴＣ（Ｒeal Ｔime Ｃlock）３０、ＣＰＵバス３１、ＰＣＩバス３２、Ｘバス（内部バス）３３が実装されている。
【００８１】
ＣＰＵ１０は、ＲＯＭ１４に記憶された制御処理プログラム、ハードディスク１７からメインメモリ１１に読み出されたＯＳ（Ｏperating Ｓystem）や各種のアプリケーションプログラムを実行、処理する。メインメモリ１１は、ＤＲＡＭ（Ｄynamic Ｒandom Ａccess Ｍemory）により構成されており、ＣＰＵ１０のワークエリア等で使用される。
【００８２】
クロック１２は、水晶発振子と分周回路とから構成されており、ＣＰＵ１０やバスコントローラ１３の動作タイミングを制御するためのクロックを生成している。バスコントローラ１３は、ＣＰＵバス３１とＸバス３３でのデータ転送を制御する。ＲＯＭ１４は、電源オン時のシステム立上げや各種デバイスの制御を行うためのプログラムが予め書き込まれている。ＰＣＩブリッジ１５は、キャッシュメモリ１６を使用して、ＰＣＩバス３２とＣＰＵ１０との間のデータ転送を行う。キャッシュメモリ１６はＤＲＡＭにより構成されており、ＰＣＩブリッジ１５により使用される。ハードディスク１７は、システムソフトウェア、各種のアプリケーションプログラム、多数のユーザデータ等を記憶する。ＨＤコントローラ１８は、ハードディスク１７とのインタフェースとして例えばＩＤＥ（Ｉntegrated Ｄevice Ｅlectronics）インタフェースを持ち、ハードディスク１７と高速データ転送を行う。
【００８３】
なお、本実施の形態では、後述するように、マンセル色立体を利用するものであり、カラー表示用のＲＧＢデータとの対応関係がテーブル形式でハードディスク１７に記憶されている。即ち、マンセル表色系は、色の３つの属性である色相、明度、彩度の各々に記号、数値を当てはめて１つの色を特定しているものであり、この色を特定する記号（数値も含む）をマンセル色立体中の各３次元座標と対応付けてハードディスク１７に記憶しておき、かつ、この色を特定する記号（数値も含む）に１：１で対応するＲＧＢデータもハードディスク１７に記憶させておくものである（特許第２６９５８６８号参照）。このようにして、マンセル色立体中の各３次元座標とＲＧＢデータが対応付けて記憶されている。
【００８４】
表示コントローラ１９は、文字データやグラフィックデータ等をＤ／Ａ（Ｄigital／Ａnalog）変換するとともに、これらのデータをカラーディスプレイ２の表示画面２ａに表示するための制御を行う。この表示コントローラ１９の内部構成及び動作については、後述する。ＭＰＥＧデコーダ２０は、ＤＶＤ-ＲＡＭ（ＤＶＤ-ＲＡＭドライブ２７によりデータが読み取られる）やハードディスク１７に記憶されたＭＰＥＧファイルをデコードして、デコードされたＹＵＶ（Ｙ：Ｕ：Ｖ＝４：２：２）ビデオデータを表示コントローラ１９へ出力し、また、デコードされたオーディオデータはＤ／Ａ変換してスピーカ２１へ出力する。ここで、Ｙは輝度成分、ＵとＶは色差（クロマ）成分であり、Ｕ＝Ｂ（青）−Ｙ、Ｖ＝Ｒ（赤）−Ｙである。
【００８５】
ＬＡＮコントローラ２２は例えばＩＥＥＥ（Ｉnstitute of Ｅlectrical and Ｅlectronics Ｅngineers）８０２．３規格に準拠した通信プロトコルを実行して、ＬＡＮ Ｉ／Ｆ２３を介してイーサネットに接続された他の機器との通信を制御する。ＦＤコントローラ２４はＦＤドライブ２５とデータ転送を行う。ＤＶＤ-ＲＡＭコントローラ２６はＤＶＤ-ＲＡＭドライブ２７とのインタフェースとして、例えば、ＳＣＳＩ-２（Ｓmall Ｃomputer Ｓystem Ｉnterface-２）インタフェースを持ち、ＤＶＤ-ＲＡＭドライブ２７とデータ転送を行う。キーボードコントローラ２８は、キーボード３から入力されたシリアルデータからパラレルデータへの変換を行う。マウスＩ／Ｆ２９は、マウス用のポートを持ち、マウスドライバ（制御プログラム）によって制御される。ＲＴＣ３０は、日付時計であり、図示していないバッテリによりバックアップされている。
【００８６】
次に、カラー表示制御装置の主要部を構成する表示コントローラ１９の内部構成及びその動作について説明する。表示コントローラ１９の内部構成を図３に示す。表示コントローラ１９は、グラフィックコントローラ４０、グラフィック用ビデオメモリ４１、グラフィックデータ変換部４２、表示データ生成部４３、ＤＡＣ（Ｄigital to Ａnalog Ｃonverter）４４、ビデオデコーダ４５、動画／静止画用ビデオメモリ４６、ビデオデータ変換部４７、ビデオデータ重畳部４８により構成されている。
【００８７】
グラフィックコントローラ４０は、ＣＰＵ１０からアクセスする表示用プレーン（ユーザプレーン）を複数枚管理しており、例えば、背景用（第１のプレーン）と文字やグラフィックなどの画像用（第２のプレーン）とを別々のユーザプレーンで管理する。そして、ＣＰＵ１０から受け取った文字（フォント）データやグラフィックデータの描画コマンドに従って表示用のデータを生成する。また、ＣＰＵ１０から指定領域の塗りつぶしコマンドを受けると、その指定された領域の全ての画素に対して指定された表示色の描画データを生成する。これらの描画データはＲ（赤），Ｇ（緑），Ｂ（青），Ｉ（Intensity）の各々１ビットにより１画素が表現される。グラフィックコントローラ４０はまた、描画データの重ね合わせ（ユーザプレーン間の重ね合わせ）、例えば、背景色と文字や線との重ね合わせ処理も行う。
【００８８】
グラフィック用ビデオメモリ４１はＶＲＡＭ（Ｖideo Ｒandom Ａccess Ｍemory）であり、Ｒ，Ｇ，Ｂ，Ｉの各ビットプレーンを持っている。グラフィックデータ変換部４２は、グラフィック用ビデオメモリ４１から８画素ずつ、即ち、３２ビットずつデータを読み出して、内蔵されたカラーパレットを使用して１画素当たり８ビットのデータに変換する。表示データ生成部４３は、グラフィックデータ変換部４２から１画素ずつ、即ち、８ビットずつデータを読み出して、内蔵されたカラールックアップテーブルを使用して１画素当たりＲ，Ｇ，Ｂ各々６ビットの表示データを生成する。動画や静止画のビデオデータと重ね合わせて表示する場合には、このデータをビデオデータ重畳部４８へ出力し、そうでない場合はＤＡＣ４４へ出力する。ＤＡＣ４４は、Ｒ，Ｇ，Ｂの各デジタルデータからアナログ映像信号に変換してカラーディスプレイ２へ出力する。
【００８９】
ビデオデコーダ４５は、ＭＰＥＧデコーダ２０から入力されるＹＵＶビデオデータ或いはＣＰＵ１０にてソフトウェアにより伸長された静止画（例えば、ＪＰＥＧ伸長画像）のＹＵＶビデオデータを１画素（１６ビット）当たりＲ，Ｇ，Ｂ各々８ビットのデータに変換する。
【００９０】
動画／静止画用ビデオメモリ４６はＶＲＡＭであり、Ｒ，Ｇ，Ｂの各ビットプレーンを持っている。ビデオデータ変換部４７は、内蔵された変換テーブルを使用してＲ，Ｇ，Ｂ各８ビットのデータを各々６ビットのデータに変換する。ビデオデータ重畳部４８は、ビデオデータ変換部４７から入力されたＲ，Ｇ，Ｂの各データに対して表示データ生成部４３から入力されたＲ，Ｇ，Ｂの各データを上書きするか、或いはこれらのデータをビット毎のＯＲ（論理和）をとって（描画データの透過表示）ＤＡＣ４４へ出力する。
【００９１】
このような表示コントローラ１９中の信号の流れを大別すると、
Ａ．動画や静止画が無い場合の文字やグラフィック
ＰＣＩバス３２→グラフィックコントローラ４０→グラフィック用ビデオメモリ４１→グラフィックデータ変換部４２→表示データ生成部４３→ＤＡＣ４４→カラーディスプレイ２
Ｂ．動画
ＭＰＥＧデコーダ２０→ビデオデコーダ４５→動画／静止画用ビデオメモリ４６→ビデオデータ変換部４７→ビデオデータ重畳部４８→ＤＡＣ４４→カラーディスプレイ２
Ｃ．静止画
ＰＣＩバス３２→ビデオデコーダ４５→動画／静止画用ビデオメモリ４６→ビデオデータ変換部４７→ビデオデータ重畳部４８→ＤＡＣ４４→カラーディスプレイ２
Ｄ．動画や静止画に重ね合わせて表示するときの文字やグラフィック
ＰＣＩバス３２→グラフィックコントローラ４０→グラフィック用ビデオメモリ４１→グラフィックデータ変換部４２→表示データ生成部４３→ビデオデータ重畳部４８→ＤＡＣ４４→カラーディスプレイ２
に分けられる。
【００９２】
ここでは、説明を簡単にするため、Ａの動画や静止画が無い場合の文字やグラフィック表示例の場合を例に挙げ、パーソナルコンピュータ１、特にＣＰＵ１０における表示制御例の概略動作を図４に示すフローチャートを参照して説明する。まず、プレゼンテーション資料作成ウィンドウが生成されたか否かをチェックする（ステップＳ１）。これは、ユーザ操作に基づきプレゼンテーション資料作成用のアプリケーションが立ち上がったか否かの判断である。このとき、カラーディスプレイ２に表示されたプレゼンテーション資料作成ウィンドウには、図５に例示する表示例のように文字（表示画像）の色を設定する文字アイコン４９ａや背景色を設定するための背景色アイコン４９ｂなどのアイコンが表示されており、これらのアイコン４９ａ，４９ｂを選択することにより、文字や背景の色を適宜設定、変更できるようになっている。プレゼンテーション資料作成ウィンドウの生成時には（Ｓ１のＹ）、ＣＰＵ１０は、予め設定されたデフォルトの背景色をグラフィックコントローラ４０を含む表示コントローラ１９の処理を経てカラーディスプレイ２の表示画面に表示させる（Ｓ２）。このステップＳ２において、ＣＰＵ１０は、この背景色がマンセル色立体上で存在する点Ａを認識する。この際、ハードディスク１７に格納されているＲＧＢデータとマンセルの色記号との１：１に対応付けられたテーブルが参照され、背景色のＲＧＢデータからそのマンセルの色記号を特定し、予め記憶されたマンセル色立体における色記号−３次元座標対応表により、点Ａのマンセル色立体上での３次元座標位置が特定される。このステップＳ２の処理が認識ステップ或いは認識手段の機能としてＣＰＵ１０により実行される。
【００９３】
そして、ＣＰＵ１０は、マンセル色立体上で存在する背景色の位置である点Ａに基づく後述するような所定の演算処理により、或る点Ｂを算出し、この点Ｂに基づき背景色の上に表示させる文字色（画像表示色）を設定する（Ｓ３）。この際、ハードディスク１７に格納されているマンセルの色記号とＲＧＢデータとの１：１に対応付けられたテーブルが参照され、マンセルの３次元座標データに対応する色記号がＲＧＢデータによる色データに変換される。このステップＳ３の処理が算出ステップ或いは算出手段及び表示色設定ステップ或いは表示色設定手段の機能としてＣＰＵ１０により実行される。
【００９４】
このような状況下で、キーボード３から文字入力が行われると（Ｓ４のＹ）、ＣＰＵ１０はその文字フォントの属性情報である文字色を、設定された文字色としてグラフィックコントローラ４０へ文字フォントの描画コマンドを出し、グラフィックコントローラ４０を含む表示コントローラ１９の処理を経て、文字を背景色に対して見やすい表示色で表示画面２ａ上に表示させる（Ｓ５）。
【００９５】
一方、背景色アイコン４９ｂが選択されてカラーディスプレイ２の表示画面における背景色が変更されると（Ｓ６のＹ）、前述の場合と同様にして、ＣＰＵ１０は、マンセル色立体上での背景色の位置である点Ａに基づく前述した所定の演算処理により、変更後の背景色の上に表示させる文字色を算出・設定する（Ｓ３）。そして、キーボード３から文字入力が行われると（Ｓ４のＹ）、ＣＰＵ１０はその文字フォントの属性情報である文字色を前記の算出された文字色として、グラフィックコントローラ４０へ文字フォントの描画コマンドを出し、グラフィックコントローラ４０を含む表示コントローラ１９の処理を経て、文字を背景色に対して見やすい表示色で表示させる（Ｓ５）。このように、背景色が変更されても、文字は常に背景色に対して見やすい色で表示される。
【００９６】
ここで、ステップＳ３による文字色（画像表示色）の算出設定方法について説明する。本実施の形態では、図６に示すように明度と彩度と色相とを立体的に表現したマンセル色立体（出典：１９９３年４月１２日に株式会社誠文堂新光社発行の「ビギナーからプロのための色彩百科」（文献１））や、図７に示すようなマンセル色立体を無彩色軸と直交するように輪切りしてなるマンセル色相環図（出典：１９９１年９月２６日に日刊工業新聞社発行の「おもしろい色のはなし」（文献２））を利用する。
【００９７】
図８はマンセル色立体を用いて背景色に応じた文字色を設定する方法を示す模式図である。即ち、図８では、マンセル色立体を球体として簡略化して示しており、５０は無彩色軸であり、点Ｎが彩度０、明度５なる無彩色軸５０上の中点を示している。色彩等に関する専門家の経験則等に基づいて、マンセル色立体上の任意の点Ａが背景色として選択された場合には、この点Ａと中点Ｎとを通る直線上で、中点Ｎを境に点Ａからａ：ｂ＝４：１以上の比率の位置に存在するマンセル色立体上の点Ｂを中心として所定範囲、ここでは同一色と見倣せる範囲Ｅ内の色を背景色に対して最もいい色の文字色として設定する。即ち、中点Ｎと点Ｂとの間の距離ｂ＝１としたとき、ａ≧４ｂなる関係を満たす位置を点Ｂとして算出し、かつ、点Ｂの位置において点Ａから見て立体角ω＝１５゜の範囲Ｅ内の色を選択して設定する。同一色と見倣せる範囲である立体角ω＝１５゜は、色相環図において隣接する２色と自身の色とを含む３色分をカバーする範囲を意味し、人間が同一色として認識する範囲を意味する。
【００９８】
ここで、点Ｂの位置及びこの点Ｂを中心として点Ａから見て立体角ω＝１５゜の範囲Ｅの領域を幾何学的に求める方法について、図９及び図１０を参照してさらに詳細に説明する。今、図９に示したマンセル色立体の中心を３次元座標の原点とし、中点Ｎがこの原点にあり（ｘ＝０，ｙ＝０，ｚ＝０）、点Ａ（x0，y0，z0）、点Ｂ（x1，y1，z1）が図９に示すような関係にあるとする。
【００９９】
まず、点Ｎは３次元座標の原点であるため、線分ＡＮの大きさと方向はベクトルＡＮとして求まる。即ち、
【０１００】
【数１】
0003887151.tif 000002
となる。線分ＡＮ：線分ＢＮ＝４：１とすると、点ＢはベクトルＡＮを５／４倍した点であるので、点Ｂの３次元座標（x1，y1，z1）は、x1＝−５x0／４，y1＝−５y0／４，z1＝−５z0／４となる。
【０１０１】
この時、線分ＡＢがＸ軸、Ｙ軸、Ｚ軸となす角を各々α、β、γとして、幾何学的な教科書に見られる有向直線ＡＢの方向余弦に従い、
λ＝cosα、μ＝cosβ、ν＝cosγ
とし、線分ＡＢの長さをＲとすると、
cosα＝（x1−x0）／Ｒ，cosβ＝（y1−y0）／Ｒ，cosγ＝（z1−z0）／Ｒ
により
x1−x0＝λＲ，y1−y0＝μＲ，z1−z0＝νＲ
が得られ、ここに、
（x1−x0）2＋（y1−y0）2＋（z1−z0）2＝Ｒ2
であるので、点Ｂを中心として範囲Ｅの領域を含む平面は、
λｘ＋μｙ＋νｚ＝√｛（x1−x0）2＋（y1−y0）2＋（z1−z0）2｝…（１）式から求められる。
【０１０２】
ここに、所定の範囲Ｅは、（１）式の平面上で、かつ、点Ａから見て立体角ω＝１５゜となるような点Ｂを中心とした半径ｒの円内の領域である。ここで、
tan(ω／２)＝ｒ／√｛（x1−x0）2＋（y1−y0）2＋（z1−z0）2｝……（２）であるため、前述したように点Ａ（x0，y0，z0）と点Ｂ（x1，y1，z1）の座標が判れば、（２）式より半径ｒが求まる。
【０１０３】
そこで、範囲Ｅの領域である、（１）式の平面上で点Ｂを中心とした半径ｒの円内の各座標点（ｘ，ｙ，ｚ）における色を特定し、これらの色を文字色の候補とすればよい。後は、前述したようにハードディスク１７に格納されている対応表のテーブルを参照して３次元座標データ→色記号→ＲＧＢ色データに変換する処理を行なえばよい。
【０１０４】
図１０はこのような文字色の算出設定処理例を示すフローチャートである。即ち、点Ｂの位置を中心として点Ａから見て立体角ω＝１５°の範囲Ｅの領域を含む平面を（１）式より求め（Ｓ３ａ）、点Ｂを中心とした半径ｒを（２）式より求め（Ｓ３ｂ）、点Ｂを中心とした半径ｒの円内の各座標点（ｘ，ｙ，ｚ）における色を予め記憶されている対応表に基づいて特定する（Ｓ３ｃ）。
【０１０５】
従って、色彩に関する専門家による経験値等に基づく妥当性のある感覚尺度によれば、画像表示位置の背景色がマンセル色立体上で存在する点Ａとマンセル色立体の中点Ｎとを通る直線上で、中点Ｎを境に点Ａから４：１以上の比率の位置に存在するマンセル色立体上の点Ｂを中心として同一色と見倣せる範囲内の色を表示色として設定することで、マンセル色相環図等による単純補色を用いる場合よりも、見やすい最適な表示色、即ち、いい色を自動的に設定することができ、表示画像の視認性を最適化させることができる。
【０１０６】
なお、上述したように背景色に対して文字色は自動的に設定されるが、この文字色は文字アイコン４９ａを選択操作することにより変更することもできる。
【０１０７】
また、表示する文字の背景が動画や静止画であり、動画や静止画に重ね合わせて表示するときの文字やグラフィックの場合には、この画像全体の中で最も多く使用されている色（画像の特徴色）を背景色として扱い、同様に処理すればよい。この画像の特徴色のチェックは、動画／静止画用ビデオメモリ４６に入力されたＲ，Ｇ，Ｂデータに基づいて行なえばよい。例えば、１画素ずつその色を幾つかの代表的な色に色の類似度に基づいてグループ化し、最も多い代表色を特定し、この特定した代表色を背景色として、上述した方法により文字色の設定を行なえばよい。これにより、カラオケ装置のような場合に歌詞を見やすい表示色で表示させることができる。
【０１０８】
また、上記の動作処理はプレゼンテーション資料作成ウィンドウ等のウィンドウに限定されたものではなく、あらゆる表示画面に対して適用させることができる。
【０１０９】
また、表示画像としても、文字以外にも、例えば直線や矩形線等の線色についても上記と同様な動作処理により、背景色に対して自動的に設定することができる。
【０１１０】
なお、前述した作用に関しては、ＦＤ、ＤＶＤ−ＲＡＭ等に予め記憶させたプログラムをパーソナルコンピュータ１に読取らせることによっても実行させることができる（後述する各実施の形態でも同様）。例えば、図２を参照すると、予め記憶されたソフトウエア（プログラム）をコンピュータ、特にＣＰＵ１０に提供できる記憶媒体として、ＲＯＭ１４等の他に、ＦＤ、ＤＶＤ−ＲＡＭ等を有しており、ＣＰＵ１０に各種の処理動作、特に本実施の形態で示した認識手段、算出手段及び表示色設定手段の各機能に対応する処理機能を実行させるための制御プログラムがソフトウエアとして予め設定されており、このような制御プログラムは例えばＤＶＤ−ＲＡＭに予め格納されている。そして、このようなソフトウエアはＲＯＭ１４或いはハードディスク１７等に予めインストールされており、ＣＰＵ１０の起動時にメインメモリ１１等に複写されて動作時にＣＰＵ１０に読取られる。このようにＣＰＵ１０が各種のプログラムを読取って対応する処理を実行することにより、各種の処理機能が実現されるので、当該パーソナルコンピュータ１が前述したようなカラー表示制御処理を実行することになる。
【０１１１】
本発明の第二の実施の形態を図１１に基づいて説明する。前述した実施の形態で示した部分と同一部分は同一符号を用いて示し、説明も省略する（以降の実施の形態でも順次同様とする）。
【０１１２】
本実施の形態では、色彩等に関する専門家の経験則等に基づき、マンセル色立体上の任意の点Ａが背景色として選択された場合には、この点Ａと中点Ｎとを通る直線上で、中点Ｎを境に点Ａからａ：ｂ＝１：４以上の比率の位置に存在するマンセル色立体上の点Ｂを中心として所定範囲、ここでは、同一色と見倣せる範囲Ｅ内の色を背景色に対して最もいい色の表示色として設定するようにしたものである。即ち、点Ａと中点Ｎとの間の距離ａ＝１としたとき、ｂ≧４ａなる関係を満たす位置を点Ｂとして算出し、かつ、点Ｂの位置において点Ａから見て立体角ω＝１５°の範囲Ｅ内の色を選択設定するものである。同一色と見倣せる範囲である立体角ω＝１５°は、色相環図において隣接する２色と自身の色とを含む３色分をカバーする範囲を意味し、人間が同一色として認識する範囲を意味する。即ち、点Ａ，Ｂの位置関係は相対的なものであり、第一の実施の形態との対比では、点Ａと点Ｂとの位置を入れ替えた場合に相当する。
【０１１３】
従って、色彩に関する専門家による経験値等に基づく妥当性のある感覚尺度によれば、文字等の画像表示位置の背景色がマンセル色立体上で存在する点Ａとマンセル色立体の中点Ｎとを通る直線上で、中点Ｎを境に点Ａから１：４以上の比率の位置に存在するマンセル色立体上の点Ｂを中心として同一色と見倣せる範囲内の色を表示色として設定することで、マンセル色相環図等による単純補色を用いる場合よりも、見やすい最適な表示色、即ち、いい色を自動的に設定することができ、表示画像の視認性を最適化させることができる。
【０１１４】
本発明の第三の実施の形態を図１２及び図１３に基づいて説明する。本実施の形態では、色彩等に関する専門家の経験則等に基づき、マンセル色立体上の任意の点Ａが背景色として選択された場合には、この点Ａを通る垂直線（無彩色軸５０に平行）上で明度差４以上離れた位置に存在するマンセル色立体上の点Ｂを中心として所定範囲、ここでは、同一色と見倣せる範囲Ｅ内の色を背景色に対して最もいい色の画像表示色として設定するようにしたものである。即ち、点Ａから明度差４以上の距離ｃ離れた位置を点Ｂとして算出し、かつ、点Ｂの位置において点Ａから見て立体角ω＝１５°の範囲Ｅ内の色を選択設定するものである。同一色と見倣せる範囲である立体角ω＝１５°は、色相環図において隣接する２色と自身の色とを含む３色分をカバーする範囲を意味し、人間が同一色として認識する範囲を意味する。
【０１１５】
文字等の画像表示位置の背景色がマンセル色立体上で存在する点Ａの位置によっては、前述した第一、二の実施の形態のような点Ｂが存在しないこともあり得るが、このような場合には、画像表示位置の背景色がマンセル色立体上で存在する点Ａを通る垂直線上で明度差４以上離れた位置に存在する点Ｂを中心として同一色と見倣せる範囲内の色を画像表示色として設定することにより、明確な明度差により十分な視認性の得られる適正な表示色の自動設定が可能となる。即ち、前述した文献１等によれば、マンセル色立体は図１３中に示すように明度０（完全黒）から明度１０（完全白）まで１０段階に分けて明度を表現しているが、背景色と画像表示色とを明度差として４以上離せば同一彩度、色相系の色同士であっても、背景色に対する表示色の視認性が十分となる。
【０１１６】
本発明の第四の実施の形態を図１４及び図１５に基づいて説明する。本実施の形態では、色彩等に関する専門家の経験則等に基づき、マンセル色立体における無彩色軸５０上の任意の点Ａが背景色として選択された場合には、この点Ａを通る同一色相内の水平線（無彩色軸５０に直交＝同一明度）上で彩度差４以上離れた位置に存在するマンセル色立体上の点Ｂを中心として所定範囲、ここでは、同一色と見倣せる範囲Ｅ内の色を背景色に対して最もいい色の画像表示色として設定するようにしたものである。即ち、点Ａから彩度差４以上の距離ｄ離れた位置を点Ｂとして算出し、かつ、点Ｂの位置において点Ａから見て立体角ω＝１５°の範囲Ｅ内の色を選択設定するものである。同一色と見倣せる範囲である立体角ω＝１５°は、色相環図において隣接する２色と自身の色とを含む３色分をカバーする範囲を意味し、人間が同一色として認識する範囲を意味する。
【０１１７】
文字等の画像表示位置の背景色がマンセル色立体上で存在する点Ａの位置によっては、前述した第一、二の実施の形態のような点Ｂが存在しないこともあり得るが、このような場合であって、無彩色軸５０に点Ａが存在するときには、画像表示位置の背景色がマンセル色立体上で存在する点Ａを通る水平線上で彩度差４以上離れた位置に存在する点Ｂを中心として同一色と見倣せる範囲内の色を表示色として設定することにより、明確な彩度差により十分な視認性の得られる適正な画像表示色の自動設定が可能となる。
【０１１８】
なお、図１５に示すように、点Ｂが結果として無彩色軸５０上に存在することとなるような位置に点Ａが存在する場合にも、同様に適用できる。
【０１１９】
本発明の第五の実施の形態を図１６及び図１７に基づいて説明する。本実施の形態は、前述した第一又は二の実施の形態に関し、マンセル色立体上の点Ａ，Ｂが予め設定された特定色に属する組合わせとなる場合には点Ｂに基づく画像表示色の設定処理を排除するようにしたものである。
【０１２０】
即ち、作成されたプレゼンテーション資料をオフィスの会議室で利用する場合等、カラーディスプレイ２を利用するＴＰＯ（オフィス等の場所、会議等の目的など）によっては、いわゆるピンク系の色はタブー色とされており、背景色或いは画像表示色として好ましくないので、このような色が画像表示色設定に含まれないようにしたものである。
【０１２１】
具体的には、図１６に示すように、マンセル色相環図等において、５ＲＰ（赤紫）−１０Ｇ（緑）、５Ｒ（赤）−５Ｇ、１０Ｐ（紫）−１０ＧＹ（緑黄）なる特定色に属する組合わせ（斜線を施して示す範囲）がタブー色として第一及び第二の実施の形態による処理から排除され、このような場合には、第三又は第四の実施の形態で示した画像表示色の設定処理が選択される。
【０１２２】
図１７にこのような処理制御例の概略フローチャートを示す。まず、背景色が存在するマンセル色立体上での点Ａを認識した後、その点Ａに対してａ：ｂ＝４：１以上の点Ｂ（即ち、第一の実施の形態による場合）、或いは、ａ：ｂ＝１：４以上の点Ｂ（即ち、第二の実施の形態による場合）がマンセル色立体上に存在するか否かをチェックする（Ｓ１１）。該当する点Ｂが存在し（Ｓ１１のＹ）、かつ、点Ａ，Ｂの関係が図１６に示したようなタブー色関係にあるか否かを判断する（Ｓ１２）。このステップＳ１２の処理が判定ステップ或いは判定手段の機能として実行される。この処理は、ハードディスク１７に格納されているタブー色関係のテーブルを参照し、点Ａ，Ｂに相当する色が図１６に示すようなタブー色関係にあるか否かを見ることにより行なわれる。タブー色関係にない場合のみ（Ｓ１２のＮ）、各々の実施の形態で説明した通りに、点Ｂに基づく画像表示色の設定を行う（Ｓ１３）。
【０１２３】
一方、点Ａ，Ｂの関係が図１６に示したようなタブー色関係の場合には（Ｓ１２のＹ）、点Ａに対して垂直線上で明度差４以上離れた点Ｂ（即ち、第三の実施の形態による場合）が存在するか否かをチェックする（Ｓ１４）。該当する点Ｂが存在し（Ｓ１４のＹ）、かつ、点Ａ又は点Ｂが無彩色軸５０上でなければ（Ｓ１５のＮ）、第三の実施の形態で説明した通りに、点Ｂに基づく画像表示色の設定を行う（Ｓ１３）。一方、該当する点Ｂが存在せず（Ｓ１４のＮ）、又は、点Ａ又は点Ｂが無彩色軸５０上の場合には（Ｓ１５のＹ）、第四の実施の形態で説明した通りに、彩度差４以上の点Ｂを算出した後（Ｓ１６）、点Ｂに基づく画像表示色の設定を行う（Ｓ１３）。
【０１２４】
もっとも、タブー色関係であっても、プレゼンテーション資料の用途等によっては、積極的に用いたい場合もあるので、キーボード３の一部等にタブー色関係の使用（非排除）を指示するためのファンタジーモードキー（図示せず）等を用意しておき、これによりファンタジーモードが選択されている場合には（Ｓ１７のＹ）、そのまま第一又は第二の実施の形態通りの画像表示色の設定が行えるようにしてもよい。従って、この場合には、ファンタジーモードが選択されていない場合をビジネスモードとして利用できる。
【０１２５】
本発明の第六の実施の形態を図１８ないし図２０に基づいて説明する。
【０１２６】
本実施の形態のカラー表示装置は、図１８にその外観を示すような電子黒板タイプのものに適用されている。図示の如く、カラー表示装置６１は文字や画像等を表示画面としての表示パネル６２ａ（図１９参照）上にカラー表示するためのカラー表示手段６２とこのカラー表示手段６２の表示パネル６２ａ上に設けられたタブレット６３及びこのタブレット６３に接触させて文字や図形を入力する指示物体としてペン６４を有する。ここで、タブレット６３は例えば２枚の透明電極６３Ｘ，６３Ｙ（図１９参照）を平行に有し、ペン６４の筆圧により接触した位置を電気抵抗で検出する感圧抵抗方式からなり、カラー表示手段６２の表示画面上でペン６４により指示された筆記位置に相当する座標情報を受け付け、後述する座標検出部６６（図１９参照）を利用してその座標を検出する。カラー表示手段６はタブレット６３を通じて検出された筆記座標に対応するカラー筆記軌跡を表示する。
【０１２７】
このようなカラー表示装置６１の制御部６５は、図１９のブロック図に示すように、座標検出部６６とフレームメモリ６７と背景色認識部６８と筆記カラー発生部６９と筆記カラー記憶部７０と画像出力制御部７１とを有する。
【０１２８】
即ち、本実施の形態は、カラーディスプレイに相当するカラー表示手段６２とともにカラー表示制御装置に相当する制御部６５を一体に備えるカラー表示装置６１への適用例を示すものである。従って、筆記色が表示色に相当する。
【０１２９】
ここに、座標検出部６６はタブレット６３の透明電極６３Ｘ，６３Ｙから出力される信号によりペン６４の筆記位置の座標を逐次検出する。従って、タブレット６３と座標検出部６６とにより座標入力／検出手段の機能が実現されている。フレームメモリ６７は座標検出部６６で検出した座標データや背景色の複数のカラーデータ等の表示情報を記憶する。背景色認識部６８は、フレームメモリ６７のデータを用いて、対象とする筆記位置における背景色のマンセル色立体上で存在する点Ａを逐次認識するもので、認識手段として機能する。筆記カラー発生部６９は背景色認識部６８で認識されたマンセル色立体上での存在する点Ａに基づく後述するような所定の演算処理により、ペン６４による筆記色としてカラー表示手段６２によりカラー筆記軌跡を表示させる筆記色を逐次算出する。筆記カラー記憶部７０は筆記カラー発生部６９で自動的に設定された筆記色を記憶する。従って、筆記カラー発生部６９と筆記カラー記憶部７０とにより筆記色自動設定手段の機能が実現されている。画像出力制御部７１はフレームメモリ６７に記憶した座標データを読み出し、入力された軌跡を自動設定された筆記色でカラー表示手段６２の表示パネル６２ａに表示する。
【０１３０】
このような構成のカラー表示装置６１における概略動作を図２０に示すフローチャートを参照して説明する。ペン６４をタブレット６３に接触させて文字や図形を入力すると、座標検出部６６はペン６４のペン先が移動する位置の各座標を逐次検出し、検出した座標データをフレームメモリ６７に格納する（Ｓ２１，Ｓ２２）。背景色認識部６８はフレームメモリ６７に格納された各座標位置の背景色データを読み出し、対象とする筆記位置における背景色のマンセル色立体上で存在する点Ａを逐次認識する（Ｓ２３）。ついで、認識されたマンセル色立体上での存在する点Ａに基づく所定の演算処理により、ペン６４による筆記色を算出し、筆記カラー記憶部７０に記憶させる（Ｓ２４）。そして、筆記位置に伴う背景色データに変化があるか否かを随時監視する（Ｓ２５）。背景色データに変化があれば（Ｓ２５のＹ）、その背景色に応じた筆記色を設定し直すため、ステップＳ２３，Ｓ２４の処理を同様に繰り返す。背景色データに変化がなければ（Ｓ２５のＮ）、フレームメモリ６７の座標位置相当部を筆記カラー記憶部７０に設定された筆記色に書き換える（Ｓ２６）。画像出力制御部７１はフレームメモリ６７に記憶した座標データを読み出し、入力された軌跡の各座標位置を設定された筆記色でカラー表示手段６２の表示パネル６２ａに表示する（Ｓ２７）。
【０１３１】
このようにして、ペン６４による筆記位置の背景色に応じて最適な筆記色が自動的に算出設定されてカラー表示手段６２によりカラー筆記軌跡が表示されるので、筆記した文字や図形を明確に認識することができる。
【０１３２】
ここで、本実施の形態による筆記色の算出設定方法について説明する。本実施の形態では、前述した図６に示すように明度と彩度と色相とを立体的に表現したマンセル色立体（出典：1993年4月12日に株式会社誠文堂新光社発行の「ビギナーからプロのための色彩百科」（文献１））や、図７に示すようなマンセル色立体を無彩色軸と直交するように輪切りしてなるマンセル色相環図（出典：1991年9月26日に日刊工業新聞社発行の「おもしろい色のはなし」（文献２））を利用するものである。
【０１３３】
図８はマンセル色立体を用いて背景色に応じた筆記色を設定する方法を示す模式図である。即ち、図８では、マンセル色立体を球体として簡略化して示しており、５０は無彩色軸であり、点Ｎが彩度０、明度５なる無彩色軸５０上の中点を示している。ここに、本実施の形態では、色彩等に関する専門家の経験則等に基づき、マンセル色立体上の任意の点Ａが背景色として選択された場合には、この点Ａと中点Ｎとを通る直線上で、中点Ｎを境に点Ａからａ：ｂ＝４：１以上の比率の位置に存在するマンセル色立体上の点Ｂを中心として所定範囲、ここでは、同一色と見倣せる範囲Ｅ内の色を背景色に対して最もいい色の筆記色として設定するようにしたものである。即ち、中点Ｎと点Ｂとの間の距離ｂ＝１としたとき、ａ≧４ｂ以上なる関係を満たす位置を点Ｂとして算出し、かつ、点Ｂの位置において点Ａから見て立体角ω＝１５°の範囲Ｅ内の色を選択設定するものである。同一色と見倣せる範囲である立体角ω＝１５°は、色相環図において隣接する２色と自身の色とを含む３色分をカバーする範囲を意味し、人間が同一色として認識する範囲を意味する。
【０１３４】
従って、色彩に関する専門家による経験値等に基づく妥当性のある感覚尺度によれば、筆記位置の背景色がマンセル色立体上で存在する点Ａとマンセル色立体の中点Ｎとを通る直線上で、中点Ｎを境に点Ａから４：１以上の比率の位置に存在するマンセル色立体上の点Ｂを中心として同一色と見倣せる範囲内の色を筆記色として設定することで、単純補色を用いる場合よりも、見やすい最適な筆記色、即ち、いい色を自動的に設定することができ、ペン６４による上書き画像の視認性を最適化させることができる。
【０１３５】
本発明の第七の実施の形態を図１１を参照して説明する。本実施の形態では、色彩等に関する専門家の経験則等に基づき、マンセル色立体上の任意の点Ａが背景色として選択された場合には、この点Ａと中点Ｎとを通る直線上で、中点Ｎを境に点Ａからａ：ｂ＝１：４以上の比率の位置に存在するマンセル色立体上の点Ｂを中心として所定範囲、ここでは、同一色と見倣せる範囲Ｅ内の色を背景色に対して最もいい色の筆記色として設定するようにしたものである。即ち、点Ａと中点Ｎとの間の距離ａ＝１としたとき、ｂ≧４ａ以上なる関係を満たす位置を点Ｂとして算出し、かつ、点Ｂの位置において点Ａから見て立体角ω＝１５°の範囲Ｅ内の色を選択設定するものである。同一色と見倣せる範囲である立体角ω＝１５°は、色相環図において隣接する２色と自身の色とを含む３色分をカバーする範囲を意味し、人間が同一色として認識する範囲を意味する。
【０１３６】
従って、色彩に関する専門家による経験値等に基づく妥当性のある感覚尺度によれば、筆記位置の背景色がマンセル色立体上で存在する点Ａとマンセル色立体の中点Ｎとを通る直線上で、中点Ｎを境に点Ａから１：４以上の比率の位置に存在するマンセル色立体上の点Ｂを中心として同一色と見倣せる範囲内の色を筆記色として設定することで、単純補色を用いる場合よりも、見やすい最適な筆記色、即ち、いい色を自動的に設定することができ、ペン６４による上書き画像の視認性を最適化させることができる。
【０１３７】
本発明の第八の実施の形態を図１２及び図１３を参照して説明する。本実施の形態では、色彩等に関する専門家の経験則等に基づき、マンセル色立体上の任意の点Ａが背景色として選択された場合には、この点Ａを通る垂直線（無彩色軸５０に平行）上で明度差４以上離れた位置に存在するマンセル色立体上の点Ｂを中心として所定範囲、ここでは、同一色と見倣せる範囲Ｅ内の色を背景色に対して最もいい色の筆記色として設定するようにしたものである。即ち、点Ａから明度差４以上の距離ｃ離れた位置を点Ｂとして算出し、かつ、点Ｂの位置において点Ａから見て立体角ω＝１５°の範囲Ｅ内の色を選択設定するものである。同一色と見倣せる範囲である立体角ω＝１５°は、色相環図において隣接する２色と自身の色とを含む３色分をカバーする範囲を意味し、人間が同一色として認識する範囲を意味する。
【０１３８】
筆記位置の背景色がマンセル色立体上で存在する点Ａの位置によっては、前述した第六、七の実施の形態のような点Ｂが存在しないこともあり得るが、このような場合には、筆記位置の背景色がマンセル色立体上で存在する点Ａを通る垂直線上で明度差４以上離れた位置に存在する点Ｂを中心として同一色と見倣せる範囲内の色を筆記色として設定することにより、明確な明度差により十分な視認性の得られる適正な筆記色の自動設定が可能となる。即ち、前述した文献１等によれば、マンセル色立体は図１１中に示すように明度０（完全黒）から明度１０（完全白）まで１０段階に分けて明度を表現としているが、背景色と筆記色とを明度差として４以上離せば同一彩度、色相系の色同士であっても、背景色に対する筆記色の視認性が十分となる。
【０１３９】
本発明の第九の実施の形態を図１４及び図１５を参照して説明する。本実施の形態では、色彩等に関する専門家の経験則等に基づき、マンセル色立体における無彩色軸５０上の任意の点Ａが背景色として選択された場合には、この点Ａを通る水平線（無彩色軸５０に直交＝同一明度）上で彩度差４以上離れた位置に存在するマンセル色立体上の点Ｂを中心として所定範囲、ここでは、同一色と見倣せる範囲Ｅ内の色を背景色に対して最もいい色の筆記色として設定するようにしたものである。即ち、点Ａから彩度差４以上の距離ｄ離れた位置を点Ｂとして算出し、かつ、点Ｂの位置において点Ａから見て立体角ω＝１５°の範囲Ｅ内の色を選択設定するものである。同一色と見倣せる範囲である立体角ω＝１５°は、色相環図において隣接する２色と自身の色とを含む３色分をカバーする範囲を意味し、人間が同一色として認識する範囲を意味する。
【０１４０】
筆記位置の背景色がマンセル色立体上で存在する点Ａの位置によっては、前述した第六、七の実施の形態のような点Ｂが存在しないこともあり得るが、このような場合であって、無彩色軸５０に点Ａが存在するときには、筆記位置の背景色がマンセル色立体上で存在する点Ａを通る水平線上で彩度差４以上離れた位置に存在する点Ｂを中心として同一色と見倣せる範囲内の色を筆記色として設定することにより、明確な彩度差により十分な視認性の得られる適正な筆記色の自動設定が可能となる。
【０１４１】
なお、図１５に示すように、点Ｂが結果として無彩色軸５０上に存在することとなるような位置に点Ａが存在する場合にも、同様に適用できる。
【０１４２】
本発明の第十の実施の形態を図１６を参照しつつ図２１に基づいて説明する。本実施の形態は、前述した第六又は七の実施の形態に関し、マンセル色立体上の点Ａ，Ｂが予め設定された特定色に属する組合わせとなる場合には点Ｂに基づく筆記色の設定処理を排除するようにしたものである。
【０１４３】
即ち、カラー表示装置６１を利用するＴＰＯ（オフィス等の場所、会議等の目的など）によっては、いわゆるピンク系の色はタブー色とされており、背景色或いは筆記色として好ましくないので、このような色が筆記色設定に含まれないようにしたものである。
【０１４４】
具体的には、図１６に示すように、マンセル色相環図等において、５ＲＰ（赤紫）−１０Ｇ（緑）、５Ｒ（赤）−５Ｇ、１０Ｐ（紫）−１０ＧＹ（緑黄）なる特定色に属する組合わせ（斜線を施して示す範囲）がタブー色として第一及び第二の実施の形態による処理から排除され、このような場合には、第八又は第九の実施の形態で示した筆記色の設定処理が選択される。
【０１４５】
図２１にこのような処理制御例の概略フローチャートを示す。まず、背景色が存在するマンセル色立体上での点Ａを認識した後（Ｓ３１）、その点Ａに対してａ：b＝４：１以上の点Ｂ（即ち、第六の実施の形態による場合）、或いは、ａ：b＝１：４以上の点Ｂ（即ち、第七の実施の形態による場合）がマンセル色立体上に存在するか否かをチェックする（Ｓ３２）。該当する点Ｂが存在し（Ｓ３２のＹ）、かつ、点Ａ，Ｂの関係が図１４に示したようなタブー色関係になければ（Ｓ３３のＮ）、各々の実施の形態で説明した通りに、点Ｂに基づく筆記色の設定を行う（Ｓ３４）。一方、点Ａ，Ｂの関係が図１４に示したようなタブー色関係の場合には（Ｓ３３のＹ）、点Ａに対して垂直線上で明度差４以上離れた点Ｂ（即ち、第八の実施の形態による場合）が存在するか否かをチェックする（Ｓ３５）。該当する点Ｂが存在し（Ｓ３５のＹ）、かつ、点Ａ又は点Ｂが無彩色軸５０上でなければ（Ｓ３６のＮ）、第三の実施の形態で説明した通りに、点Ｂに基づく筆記色の設定を行う（Ｓ３４）。一方、該当する点Ｂが存在せず（Ｓ３５のＮ）、又は、点Ａ又は点Ｂが無彩色軸５０上の場合には（Ｓ３６のＹ）、第九の実施の形態で説明した通りに、彩度差４以上の点Ｂを算出した後（Ｓ３７）、点Ｂに基づく筆記色の設定を行う（Ｓ３４）。従って、ステップＳ３３の処理が特定処理排除手段として機能する。
【０１４６】
もっとも、タブー色関係であっても、カラー表示装置６１の用途等によっては、積極的に用いたい場合もあるので、操作パネルの一部等にタブー色関係の使用（非排除）を指示するためのファンタジーモードキー（図示せず）等を用意しておき、これによりファンタジーモードが選択されている場合には（Ｓ３８のＹ）、そのまま第六又は第七の実施の形態通りの筆記色の設定が行えるようにしてもよい。従って、この場合には、ファンタジーモードが選択されていない場合をビジネスモードとして利用できる。
【０１４７】
なお、これらの第六ないし第十の実施の形態では、例えば感圧抵抗方式のタブレット６３と座標検出部６６とによる座標入力／検出手段を用いたが、必ずしもこのような組合わせ例に限らず、この種のカラー表示装置に適用されるものであれば特にその方式を問わず、例えば、光学的な座標検出手段を用いたものや、ペン６４自体に座標検出機能を持たせたもの等であってもよい。指示物体に関しても、必ずしもペン６４に限らず、例えば、操作者の指等であってもよい。これは、カラー表示手段６２に関しても同様であり、各種の方式を採用し得る。
【０１４８】
【実施例】
本発明の実施例として、例えば、第七の実施の形態に相当する実施例を図２２を参照して説明する。本実施例は、第七の実施の形態に準じて筆記色を自動設定した場合の読みやすさを、例えば、８人の被験者による感応検査の評価から、その効果を実証するものである。
【０１４９】
ここでは、感応検査のサンプル例として、背景色に対して筆記色を単純補色として設定した場合、図１１における点Ａ・Ｂ間の距離（＝ａ＋ｂ）を６ａ，５ａ，４ａ，３ａの如く設定した場合を挙げている。評価は５段階評価とした。Ａ〜Ｅで示す５種類の背景色に対して、各々筆記色(ペン色)を上記のように異ならせて感応検査を行ったところ、表１に示すような評価が得られたものである。
【０１５０】
【表１】
0003887151.tif 000003
【０１５１】
図２２はこの表１に示す評価結果から読みやすいと答えた人の比率を筆記色毎にまとめて示すグラフである。この結果によれば、点Ａ・Ｂ間の距離（＝ａ＋ｂ）を６ａ，５ａ、即ち、図１１におけるｂを４ａ以上とすれば、２／３以上の人が読みやすいと認識するもので、単純補色の場合よりも最適な筆記色設定であることがわかる。また、点Ａ・Ｂ間の距離（＝ａ＋ｂ）が４ａ，３ａ、即ち、図１１におけるｂが３ａ以下の場合にはあまり読みやすくないこともわかる。
【０１５２】
【発明の効果】
請求項１記載の発明によれば、色彩に関する経験値等に基づく妥当性のある感覚尺度によれば、画像を表示する位置の背景色がマンセル色立体上で存在する点Ａに対して見やすい色であるとする色彩に関する経験則により見出される色の点Ｂ、つまり、点Ａの色に対して単純補色とならない点を中心として所定範囲内の色を表示色として設定することで、見やすい最適な表示色、即ち、いい色を自動的に設定することができ、表示画像の視認性を最適化させることができる。
また、点Ａ，Ｂが例えば緑色とピンク色との組合せとなってしまうような場合には、用途によっては場違い的な不快感を与えてしまうが、このような組合せを特定色に属する組合せとして予め設定しておくことで、このような組合せによる点Ｂに基づく表示色の設定処理を不実行とさせることができ、不快感を与えるような表示色の設定を回避できる。
【０１５３】
請求項２記載の発明によれば、色彩に関する経験値等に基づく妥当性のある感覚尺度によれば、画像を表示する位置の背景色がマンセル色立体上で存在する点Ａとマンセル色立体の中点とを通る延長線上で、中点を境に点Ａから４：１以上の比率の位置に存在するマンセル色立体上の点Ｂを中心として所定範囲、例えば、同一色と見倣せる範囲内の色を表示色として設定することで、見やすい最適な表示色、即ち、いい色を自動的に設定することができ、表示画像の視認性を最適化させることができる。
【０１５４】
請求項３記載の発明によれば、色彩に関する経験値等に基づく妥当性のある感覚尺度によれば、画像表示位置の背景色がマンセル色立体上で存在する点Ａとマンセル色立体の中点とを通る延長線上で、中点を境に点Ａから１：４以上の比率の位置に存在するマンセル色立体上の点Ｂを中心として所定範囲、例えば、同一色と見倣せる範囲内の色を表示色として設定することで、見やすい最適な表示色、即ち、いい色を自動的に設定することができ、表示画像の視認性を最適化させることができる。
【０１５５】
請求項４記載の発明によれば、画像表示位置の背景色がマンセル色立体上で存在する点Ａの位置によっては、請求項２又は３記載の発明における点Ｂが存在しないこともあり得るが、このような場合には、画像表示位置の背景色がマンセル色立体上で存在する点Ａを通る垂直線上で明度差４以上離れた位置に存在する点Ｂを中心として所定範囲、例えば、同一色と見倣せる範囲内の色を表示色として設定することにより、明確な明度差により十分な視認性の得られる適正な表示色の自動設定が可能となる。
【０１５６】
請求項５記載の発明によれば、画像表示位置の背景色がマンセル色立体上で存在する点Ａの位置によっては、例えば、無彩色位置のような場合には、請求項２又は３記載の発明における点Ｂが存在しないこともあり得るが、このような場合には、画像表示位置の背景色がマンセル色立体上で存在する点Ａを通る水平線上で彩度差４以上離れた位置に存在する点Ｂを中心として所定範囲、例えば、同一色と見倣せる範囲内の色を表示色として設定することにより、明確な彩度差により十分な視認性の得られる適正な表示色の自動設定が可能となる。
【０１５７】
請求項６ないし８記載の発明によれば、所定範囲が同一色と見倣せる範囲、即ち、点Ａから見て立体角１５°の範囲であり、マンセル色相環図において隣接する２色をカバーする同一色と見倣せる範囲であるので、人間が知覚できるレベルに合わせて余裕を持って筆記色を自動的に設定できる。
【０１５９】
請求項９記載の発明によれば、点Ａ，Ｂが例えば緑色とピンク色との組合せとなってしまうような場合であっても、用途等によっては必要な組合せであるので、このような設定処理の実行・不実行を選択自在とすることにより、用途等のＴＰＯに応じて適正な表示色の設定が可能となる。
【０１６０】
請求項１０記載の発明によれば、色彩に関する経験値等に基づく妥当性のある感覚尺度によれば、画像を表示する位置の背景色がマンセル色立体上で存在する点Ａに対して見やすい色であるとする色彩に関する経験則により見出される色の点Ｂ、つまり、点Ａの色に対して単純補色とならない点を中心として所定範囲内の色を表示色として設定することで、見やすい最適な表示色、即ち、いい色を自動的に設定することができ、表示画像の視認性を最適化させることができる。
【０１６１】
請求項１１記載の発明によれば、色彩に関する経験値等に基づく妥当性のある感覚尺度によれば、画像を表示する位置の背景色がマンセル色立体上で存在する点Ａとマンセル色立体の中点とを通る延長線上で、中点を境に点Ａから４：１以上の比率の位置に存在するマンセル色立体上の点Ｂを中心として所定範囲、例えば、同一色と見倣せる範囲内の色を表示色として設定することで、見やすい最適な表示色、即ち、いい色を自動的に設定することができ、表示画像の視認性を最適化させることができる。
【０１６２】
請求項１２記載の発明によれば、色彩に関する経験値等に基づく妥当性のある感覚尺度によれば、画像表示位置の背景色がマンセル色立体上で存在する点Ａとマンセル色立体の中点とを通る延長線上で、中点を境に点Ａから１：４以上の比率の位置に存在するマンセル色立体上の点Ｂを中心として所定範囲、例えば、同一色と見倣せる範囲内の色を表示色として設定することで、見やすい最適な表示色、即ち、いい色を自動的に設定することができ、表示画像の視認性を最適化させることができる。
【０１６３】
請求項１３記載の発明によれば、画像表示位置の背景色がマンセル色立体上で存在する点Ａの位置によっては、請求項１１又は１２記載の発明における点Ｂが存在しないこともあり得るが、このような場合には、画像表示位置の背景色がマンセル色立体上で存在する点Ａを通る垂直線上で明度差４以上離れた位置に存在する点Ｂを中心として所定範囲、例えば、同一色と見倣せる範囲内の色を表示色として設定することにより、明確な明度差により十分な視認性の得られる適正な表示色の自動設定が可能となる。
【０１６４】
請求項１４記載の発明によれば、画像表示位置の背景色がマンセル色立体上で存在する点Ａの位置によっては、例えば、無彩色位置のような場合には、請求項１１又は１２記載の発明における点Ｂが存在しないこともあり得るが、このような場合には、画像表示位置の背景色がマンセル色立体上で存在する点Ａを通る水平線上で彩度差４以上離れた位置に存在する点Ｂを中心として所定範囲、例えば、同一色と見倣せる範囲内の色を表示色として設定することにより、明確な彩度差により十分な視認性の得られる適正な表示色の自動設定が可能となる。
【０１６５】
請求項１５ないし１７記載の発明によれば、所定範囲が同一色と見倣せる範囲、即ち、点Ａから見て立体角１５°の範囲であり、マンセル色相環図において隣接する２色をカバーする同一色と見倣せる範囲であるので、人間が知覚できるレベルに合わせて余裕を持って筆記色を自動的に設定できる。
【０１６７】
請求項１８記載の発明によれば、点Ａ，Ｂが例えば緑色とピンク色との組合せとなってしまうような場合であっても、用途等によっては必要な組合せであるので、このような設定処理の実行・不実行を選択自在とすることにより、用途等のＴＰＯに応じて適正な表示色の設定が可能となる。
【０１６８】
請求項１９記載の発明によれば、色彩に関する経験値等に基づく妥当性のある感覚尺度によれば、画像を表示する位置の背景色がマンセル色立体上で存在する点Ａに対して見やすい色であるとする色彩に関する経験則により見出される色の点Ｂ、つまり、点Ａの色に対して単純補色とならない点を中心として所定範囲内の色を表示色として設定することで、見やすい最適な表示色、即ち、いい色を自動的に設定することができ、表示画像の視認性を最適化させることができる。
また、点Ａ，Ｂが例えば緑色とピンク色との組合せとなってしまうような場合には、用途によっては場違い的な不快感を与えてしまうが、このような組合せを特定色に属する組合せとして予め設定しておくことで、このような組合せによる点Ｂに基づく表示色の設定処理を不実行にすることができ、不快感を与えるような表示色の設定を回避できる。
【０１６９】
請求項２０記載の発明によれば、色彩に関する経験値等に基づく妥当性のある感覚尺度によれば、画像を表示する位置の背景色がマンセル色立体上で存在する点Ａとマンセル色立体の中点とを通る延長線上で、中点を境に点Ａから４：１以上の比率の位置に存在するマンセル色立体上の点Ｂを中心として所定範囲、例えば、同一色と見倣せる範囲内の色を表示色として設定することで、見やすい最適な表示色、即ち、いい色を自動的に設定することができ、表示画像の視認性を最適化させることができる。
【０１７０】
請求項２１記載の発明によれば、色彩に関する経験値等に基づく妥当性のある感覚尺度によれば、画像表示位置の背景色がマンセル色立体上で存在する点Ａとマンセル色立体の中点とを通る延長線上で、中点を境に点Ａから１：４以上の比率の位置に存在するマンセル色立体上の点Ｂを中心として所定範囲、例えば、同一色と見倣せる範囲内の色を表示色として設定することで、見やすい最適な表示色、即ち、いい色を自動的に設定することができ、表示画像の視認性を最適化させることができる。
【０１７１】
請求項２２記載の発明によれば、画像表示位置の背景色がマンセル色立体上で存在する点Ａの位置によっては、請求項２０又は２１記載の発明における点Ｂが存在しないこともあり得るが、このような場合には、画像表示位置の背景色がマンセル色立体上で存在する点Ａを通る垂直線上で明度差４以上離れた位置に存在する点Ｂを中心として所定範囲、例えば、同一色と見倣せる範囲内の色を表示色として設定することにより、明確な明度差により十分な視認性の得られる適正な表示色の自動設定が可能となる。
【０１７２】
請求項２３記載の発明によれば、画像表示位置の背景色がマンセル色立体上で存在する点Ａの位置によっては、例えば、無彩色位置のような場合には、請求項２０又は２１記載の発明における点Ｂが存在しないこともあり得るが、このような場合には、画像表示位置の背景色がマンセル色立体上で存在する点Ａを通る水平線上で彩度差４以上離れた位置に存在する点Ｂを中心として所定範囲、例えば、同一色と見倣せる範囲内の色を表示色として設定することにより、明確な彩度差により十分な視認性の得られる適正な表示色の自動設定が可能となる。
【０１７３】
請求項２４ないし２６記載の発明によれば、所定範囲が同一色と見倣せる範囲、即ち、点Ａから見て立体角１５°の範囲であり、マンセル色相環図において隣接する２色をカバーする同一色と見倣せる範囲であるので、人間が知覚できるレベルに合わせて余裕を持って筆記色を自動的に設定できる。
【０１７５】
請求項２７記載の発明によれば、点Ａ，Ｂが例えば緑色とピンク色との組合せとなってしまうような場合であっても、用途等によっては必要な組合せであるので、このような設定処理の実行・不実行を選択自在とすることにより、用途等のＴＰＯに応じて適正な表示色の設定が可能となる。
【０１７６】
請求項２８記載の発明によれば、色彩に関する経験値等に基づく妥当性のある感覚尺度によれば、筆記位置の背景色がマンセル色立体上で存在する点Ａとマンセル色立体の中点とを通る直線上で、中点を境に点Ａから４：１以上の比率の位置に存在するマンセル色立体上の点Ｂを中心として所定範囲内の色を筆記色として設定することで、見やすい最適な筆記色、即ち、いい色を自動的に設定することができ、筆記手段による上書き画像の視認性を最適化させることができる。
【０１８０】
請求項２９記載の発明によれば、色彩に関する経験値等に基づく妥当性のある感覚尺度によれば、筆記位置の背景色がマンセル色立体上で存在する点Ａとマンセル色立体の中点とを通る直線上で、中点を境に点Ａから４：１以上の比率の位置に存在するマンセル色立体上の点Ｂを中心として所定範囲内の色を筆記色として設定することで、見やすい最適な筆記色、即ち、いい色を自動的に設定することができ、筆記手段による上書き画像の視認性を最適化させることができる。
【図面の簡単な説明】
【図１】本発明の第一の実施の形態のプレゼンテーション用文書作成装置のシステム構成を示す概略正面図である。
【図２】そのパーソナルコンピュータのハードウェア構成を示すブロック図である。
【図３】その表示コントローラのハードウェア構成を示すブロック図である。
【図４】概略動作例を示すフローチャートである。
【図５】アイコンの表示例を示す正面図である。
【図６】マンセル色立体を示す斜視図である。
【図７】マンセル色相環図である。
【図８】表示色の設定方法を示す模式図である。
【図９】点Ｂを中心とする平面の幾何学的な算出を説明する説明図である。
【図１０】その処理例を示すフローチャートである。
【図１１】本発明の第二の実施の形態の表示色の設定方法を示す模式図である。
【図１２】本発明の第三の実施の形態の表示色の設定方法を示す模式図である。
【図１３】その明度差に関する説明図である。
【図１４】本発明の第四の実施の形態の表示色の設定方法を示す模式図である。
【図１５】その変形例を示す模式図である。
【図１６】本発明の第五の実施の形態を示す色相環図である。
【図１７】その処理制御例を示すフローチャートである。
【図１８】本発明の第六の実施の形態を示すカラー表示装置の概略斜視図である。
【図１９】その制御系の構成を示す概略ブロック図である。
【図２０】概略動作例を示すフローチャートである。
【図２１】本発明の第十の実施の形態の概略動作例を示すフローチャートである。
【図２２】実施例による結果を示すグラフである。
【符号の説明】
２      カラー表示装置
２ａ    表示画面
６２      カラー表示手段
６２ａ    表示画面
６３，６６      座標入力／検出手段
６４      指示物体
６８      認識手段
６９，７０      筆記色自動設定手段
【図１】
0003887151.tif 000004
【図２】
0003887151.tif 000005
【図３】
0003887151.tif 000006
【図４】
0003887151.tif 000007
【図５】
0003887151.tif 000008
【図６】
0003887151.tif 000009
【図７】
0003887151.tif 000010
【図８】
0003887151.tif 000011
【図９】
0003887151.tif 000012
【図１０】
0003887151.tif 000013
【図１１】
0003887151.tif 000014
【図１２】
0003887151.tif 000015
【図１３】
0003887151.tif 000016
【図１４】
0003887151.tif 000017
【図１５】
0003887151.tif 000018
【図１６】
0003887151.tif 000019
【図１７】
0003887151.tif 000020
【図１８】
0003887151.tif 000021
【図１９】
0003887151.tif 000022
【図２０】
0003887151.tif 000023
【図２１】
0003887151.tif 000024
【図２２】
0003887151.tif 000025